(57)【要約】【課題】ユーザに確実に関連する地域の情報を配信すること。【解決手段】サービス提供者側システム（３００）により、様々な地域の地域情報が予め記憶され、ユーザに関連する地域を特定可能な情報を含む個人情報の入力が受付けられ、識別番号が記録された記録媒体が、受付けられた個人情報のユーザに受け渡すための処理が実行され、個人情報と識別番号とが対応付けられて記憶される。ユーザ側システム（１００Ａ〜Ｃ）により、記録媒体から識別番号が読出され送信され、個人情報に含まれるユーザに関連する地域の地域情報のうち、当該ユーザが所望するものの送信が要求される。サービス提供者側システムにより、受信された識別番号が記憶された識別番号であるとの認証を条件に、当該ユーザに関連する地域の地域情報のうち、送信が要求されたものが送信される。ユーザ側システムにより、受信された地域情報が表示される。【選択図】図１
2012033006.tif 000002
【特許請求の範囲】
【請求項１】
ユーザ側システムと、サービス提供者側システムとを含む情報配信システムであって、
前記サービス提供者側システムは、
様々な地域の地域情報を予め記憶する情報記憶手段と、
ユーザに関連する地域を特定可能な情報を含む個人情報の入力を受付ける個人情報入力受付手段と、
一意に割振られた識別番号が記録された記録媒体を、前記個人情報入力受付手段によって受付けられた前記個人情報のユーザに受け渡すための処理を実行する記録媒体受渡手段と、
前記個人情報入力受付手段によって受付けられた前記個人情報と、前記記録媒体受渡手段によって受け渡すための処理が実行された前記記録媒体に記録された前記識別番号とを対応付けて記憶するユーザ記憶手段とを備え、
前記ユーザ側システムは、
前記サービス提供者側システムの前記記録媒体受渡手段によって受け渡すための処理が実行された前記記録媒体に記録された前記識別番号を読出すユーザ側読出手段と、
前記ユーザ側読出手段によって読出された前記識別番号を前記サービス提供者側システムに送信する送信手段と、
前記サービス提供者側システムに記憶された当該ユーザの前記個人情報に含まれる当該ユーザに関連する地域の前記地域情報のうち、当該ユーザが所望するものの送信を前記サービス提供者側システムに要求する要求手段とを備え、
前記サービス提供者側システムは、さらに、
前記ユーザ側システムの前記送信手段によって送信された前記識別番号が前記ユーザ記憶手段に記憶された前記識別番号であるか否かを認証する認証手段と、
前記認証手段によって認証されたことを条件として、前記認証手段によって認証された識別番号に対応付けて前記情報記憶手段に記憶された当該ユーザの前記個人情報に含まれる当該ユーザに関連する地域の前記地域情報のうち、前記ユーザ側システムの前記要求手段によって送信が要求されたものを、前記ユーザ側システムに送信する要求情報送信手段とを備え、
前記ユーザ側システムは、さらに、
前記サービス提供者側システムの前記要求情報送信手段によって送信された前記地域情報を表示する表示手段を備える、情報配信システム。
【請求項２】
前記情報配信システムは、さらに、事業者側システムを含み、
前記事業者側システムは、
ユーザが事業者の店舗を訪れたときに所持している前記記録媒体に記録された前記識別番号を読出す事業者側読出手段と、
前記事業者側読出手段によって読出された前記識別番号に対応付けられた当該事業者のユーザのポイントを特定するポイント特定手段と、
当該店舗でのユーザの所定行為に対して当該ユーザの当該事業者のポイントを加算するための処理を実行するポイント付与手段と、
当該事業者以外のポイントの使用を禁止するとともに、前記ポイント特定手段によって特定されたポイントに当該事業者のポイントが含まれている場合、当該ポイントを使用する行為に対して当該ユーザの当該事業者のポイントを減算するための処理を実行するポイント使用手段とを備える、請求項１に記載の情報配信システム。
【請求項３】
前記情報配信システムは、さらに、事業者側システムを含み、
前記事業者側システムは、
当該事業者の店舗で使用できるクーポンを作成して、当該クーポンの配布対象と合わせて、前記サービス提供者側システムに登録する登録手段を備え、
前記サービス提供者側システムは、さらに、
前記事業者側システムの前記登録手段によって登録されたクーポンを当該クーポンの配布対象と対応付けて記憶するクーポン記憶手段を備え、
前記ユーザ側システムは、さらに、
当該ユーザに対して前記クーポンが発行されているか否かを、前記サービス提供者側システムに問合せるクーポン問合せ手段を備え、
前記サービス提供者側システムは、さらに、
前記ユーザ側システムの前記クーポン問合せ手段によって問合せがあった場合、当該問合せ元のユーザが含まれている配布対象に対応付けられて前記クーポン記憶手段にクーポンが記憶されていれば、当該クーポンを前記ユーザ側システムに送信するクーポン送信手段を備え、
前記ユーザ側システムは、さらに、
前記サービス提供者側システムのクーポン送信手段によってクーポンが送信された場合、当該クーポンを前記記録媒体に記憶させるクーポン書込手段を備え、
前記事業者側システムは、さらに、
ユーザが事業者の店舗を訪れたときに所持している前記記録媒体に記録されたクーポンに対応したサービスをユーザに提供するために当該クーポンを確認する確認手段を備える、請求項１または請求項２に記載の情報配信システム。
【請求項４】
前記サービス提供者側システムは、さらに、
前記ユーザ側システムの前記要求手段によって送信が要求された前記地域情報の履歴をユーザごとに記憶する履歴記憶手段と、
前記履歴記憶手段に記憶された履歴に基づいて、ユーザの嗜好を分析する嗜好分析手段とを備える、請求項１に記載の情報配信システム。
【請求項５】
前記サービス提供者側システムは、さらに、
前記ユーザ側システムに、事業者の評価を問合せる評価問合せ手段を備え、
前記ユーザ側システムは、さらに、
前記サービス提供者側システムの評価問合せ手段によって問合せられた評価の回答をユーザから受付けて前記回答を前記サービス提供者側システムに送信する回答送信手段を備え、
前記サービス提供者側システムは、さらに、
前記ユーザ側システムの前記回答送信手段によって送信された前記回答に基づいて当該事業者の評価を分析する評価分析手段と、
前記評価分析手段によって分析された事業者の評価と、前記嗜好分析手段によって分析されたユーザの嗜好とが適合する組合せを特定するマッチング手段とを備える、請求項４に記載の情報配信システム。
【請求項６】
前記サービス提供者側システムは、さらに、
前記マッチング手段によって特定された組合せを当該組合せのユーザに伝達する第１のマッチング結果伝達手段を備える、請求項５に記載の情報配信システム。
【請求項７】
前記サービス提供者側システムは、さらに、
前記マッチング手段によって特定された組合せを当該組合せの事業者に伝達する第２のマッチング結果伝達手段を備える、請求項５または請求項６に記載の情報配信システム。
【請求項８】
前記サービス提供者側システムは、さらに、
前記嗜好分析手段によって分析された嗜好が同一または類似する複数のユーザの前記ユーザ側システムに、当該嗜好に適合する情報を送信する適合情報送信手段を備える、請求項４に記載の情報配信システム。
【請求項９】
前記サービス提供者側システムは、さらに、
前記嗜好分析手段によって分析された嗜好の傾向を地域ごとに分析する地域嗜好分析手段と、
前記地域嗜好分析手段によって分析された地域の嗜好に適合する情報を、当該地域のユーザ側システムに送信する地域適合情報送信手段とを備える、請求項４に記載の情報配信システム。
【請求項１０】
前記情報配信システムは、さらに、事業者側システムを含み、
前記サービス提供者側システムは、さらに、
前記事業者側システムに、当該事業者が地域特有の企画に賛同するか否かの意思を問合せて当該意思を取得する企画参加意思問合せ手段と、
前記企画参加意思問合せ手段によって当該企画に賛同する意思が取得された事業者から当該企画に応じた商品または役務の広告内容を受取る広告内容受取手段と、
前記広告内容受取手段によって受取られた広告内容を当該企画について取り纏めた広告情報を、前記ユーザ側システムに送信する地域企画関連広告送信手段とを備える、請求項１に記載の情報配信システム。
【請求項１１】
サービス提供者側システムによって入力が受付けられたユーザに関連する地域を特定可能な情報を含む個人情報のユーザに受け渡される記録媒体には、当該個人情報と対応付けて前記サービス提供者側システムに記憶される一意に割振られた識別番号が記録され、
前記記録媒体に記録された前記識別番号を読出すユーザ側読出手段と、
前記ユーザ側読出手段によって読出された前記識別番号を前記サービス提供者側システムに送信する送信手段と、
前記サービス提供者側システムに予め記憶された様々な地域の地域情報の中の当該ユーザの前記個人情報に含まれる当該ユーザに関連する地域の前記地域情報のうち、当該ユーザが所望するものの送信を前記サービス提供者側システムに要求する要求手段と、
前記送信手段によって送信された前記識別番号が前記サービス提供者側システムによって前記個人情報と対応付けて記憶された前記識別番号であることが認証されたことを条件として送信されてきた前記要求手段によって送信が要求された前記地域情報を、外部の表示装置に表示させるよう制御する表示制御手段とを備える、ユーザ側システム。
【請求項１２】
ユーザ側システムで実行される情報受信プログラムであって、
サービス提供者側システムによって入力が受付けられたユーザに関連する地域を特定可能な情報を含む個人情報のユーザに受け渡される記録媒体には、当該個人情報と対応付けて前記サービス提供者側システムに記憶される一意に割振られた識別番号が記録され、
前記記録媒体に記録された前記識別番号を読出すステップと、
読出された前記識別番号を前記サービス提供者側システムに送信するステップと、
前記サービス提供者側システムに予め記憶された様々な地域の地域情報の中の当該ユーザの前記個人情報に含まれる当該ユーザに関連する地域の前記地域情報のうち、当該ユーザが所望するものの送信を前記サービス提供者側システムに要求するステップと、
送信された前記識別番号が前記サービス提供者側システムによって前記個人情報と対応付けて記憶された前記識別番号であることが認証されたことを条件として送信されてきた要求された前記地域情報を、外部の表示装置に表示させるよう制御するステップとを前記ユーザ側システムに実行させる、情報受信プログラム。
【請求項１３】
様々な地域の地域情報を予め記憶する情報記憶手段と、
ユーザに関連する地域を特定可能な情報を含む個人情報の入力を受付ける個人情報入力受付手段と、
一意に割振られた識別番号が記録された記録媒体を、前記個人情報入力受付手段によって受付けられた前記個人情報のユーザに受け渡すための処理を実行する記録媒体受渡手段と、
前記個人情報入力受付手段によって受付けられた前記個人情報と、前記記録媒体受渡手段によって受け渡すための処理が実行された前記記録媒体に記録された前記識別番号とを対応付けて記憶するユーザ記憶手段と、
前記記録媒体受渡手段によって前記ユーザに受け渡すための処理が実行された前記記録媒体からユーザ側システムによって読出され送信された前記識別番号が前記ユーザ記憶手段に記憶された前記識別番号であるか否かを認証する認証手段と、
前記認証手段によって認証されたことを条件として、前記認証手段によって認証された識別番号に対応付けて前記情報記憶手段に記憶された当該ユーザの前記個人情報に含まれる当該ユーザに関連する地域の前記地域情報のうち、当該ユーザが所望するものとして前記ユーザ側システムによって送信が要求されたものを、前記ユーザ側システムによって表示させるために、前記ユーザ側システムに送信する要求情報送信手段とを備える、サービス提供者側システム。
【請求項１４】
前記ユーザ側システムによって送信が要求された前記地域情報の履歴をユーザごとに記憶する履歴記憶手段と、
前記履歴記憶手段に記憶された履歴に基づいて、ユーザの嗜好を分析する嗜好分析手段とをさらに備える、請求項１３に記載のサービス提供者側システム。
【請求項１５】
前記ユーザ側システムに、事業者の評価を問合せる評価問合せ手段と、
前記評価問合せ手段によって問合せられた評価に対して前記ユーザ側システムによってユーザから受付けられて送信された前記回答に基づいて当該事業者の評価を分析する評価分析手段と、
前記評価分析手段によって分析された事業者の評価と、前記嗜好分析手段によって分析されたユーザの嗜好とが適合する組合せを特定するマッチング手段とをさらに備える、請求項１４に記載のサービス提供者側システム。
【請求項１６】
前記マッチング手段によって特定された組合せを当該組合せのユーザに伝達する第１のマッチング結果伝達手段をさらに備える、請求項１５に記載のサービス提供者側システム。
【請求項１７】
前記マッチング手段によって特定された組合せを当該組合せの事業者に伝達する第２のマッチング結果伝達手段をさらに備える、請求項１５または請求項１６に記載のサービス提供者側システム。
【請求項１８】
前記嗜好分析手段によって分析された嗜好が同一または類似する複数のユーザの前記ユーザ側システムに、当該嗜好に適合する情報を送信する適合情報送信手段をさらに備える、請求項１４に記載のサービス提供者側システム。
【請求項１９】
前記嗜好分析手段によって分析された嗜好の傾向を地域ごとに分析する地域嗜好分析手段と、
前記地域嗜好分析手段によって分析された地域の嗜好に適合する情報を、当該地域のユーザ側システムに送信する地域適合情報送信手段とをさらに備える、請求項１４に記載のサービス提供者側システム。
【発明の詳細な説明】
【技術分野】
【０００１】
この発明は、情報配信システム、ユーザ側システム、情報受信プログラム、および、サービス提供者側システムに関し、特に、地域情報を配信するのに適した情報配信システム、ユーザ側システム、情報受信プログラム、および、サービス提供者側システムに関する。
【背景技術】
【０００２】
従来、インターネットにおいて、情報の受け手側で必要な情報のみを配信することができるものがあった（特許文献１）。
【先行技術文献】
【特許文献】
【０００３】
【特許文献１】特開平１１−４５２６５号公報
【発明の概要】
【発明が解決しようとする課題】
【０００４】
しかし、特許文献１のような従来の技術では、ユーザの住所または居所などユーザに関連する地域は特定されずに、情報の配信が行なわれていた。このような技術において、ウェブサイトのアクセス時に住所等を入力するという方法によって、住所を特定することも考えられるが、入力された住所が正しいか否かを確認することができないといった問題があった。
【０００５】
この発明は、上述の問題を解決するためになされたものであり、その目的の１つは、ユーザに確実に関連する地域の情報を配信することが可能な情報配信システム、ユーザ側システム、情報受信プログラム、および、サービス提供者側システムを提供することである。
【課題を解決するための手段】
【０００６】
上述の目的を達成するために、この発明のある局面によれば、情報配信システムは、ユーザ側システムと、サービス提供者側システムとを含む。サービス提供者側システムは、様々な地域の地域情報を予め記憶する情報記憶部と、ユーザに関連する地域を特定可能な情報を含む個人情報の入力を受付ける個人情報入力受付部と、一意に割振られた識別番号が記録された記録媒体を、個人情報入力受付部によって受付けられた個人情報のユーザに受け渡すための処理を実行する記録媒体受渡部と、個人情報入力受付部によって受付けられた個人情報と、記録媒体受渡部によって受け渡すための処理が実行された記録媒体に記録された識別番号とを対応付けて記憶するユーザ記憶部とを備える。
【０００７】
ユーザ側システムは、サービス提供者側システムの記録媒体受渡部によって受け渡すための処理が実行された記録媒体に記録された識別番号を読出すユーザ側読出部と、ユーザ側読出部によって読出された識別番号をサービス提供者側システムに送信する送信部と、サービス提供者側システムに記憶された当該ユーザの個人情報に含まれるユーザに関連する地域の地域情報のうち、当該ユーザが所望するものの送信をサービス提供者側システムに要求する要求部とを備える。
【０００８】
サービス提供者側システムは、さらに、ユーザ側システムの送信部によって送信された識別番号がユーザ記憶部に記憶された識別番号であるか否かを認証する認証部と、認証部によって認証されたことを条件として、認証部によって認証された識別番号に対応付けて情報記憶部に記憶された当該ユーザの個人情報に含まれる当該ユーザに関連する地域の地域情報のうち、ユーザ側システムの要求部によって送信が要求されたものを、ユーザ側システムに送信する要求情報送信部とを備える。ユーザ側システムは、さらに、サービス提供者側システムの要求情報送信部によって送信された地域情報を表示する表示部を備える。
【０００９】
この発明に従えば、サービス提供者側システムによって、様々な地域の地域情報が予め記憶され、ユーザに関連する地域を特定可能な情報を含む個人情報の入力が受付けられ、一意に割振られた識別番号が記録された記録媒体が、受付けられた個人情報のユーザに受け渡すための処理が実行され、受付けられた個人情報と、受け渡すための処理が実行された記録媒体に記録された識別番号とが対応付けられて記憶される。
【００１０】
ユーザ側システムによって、サービス提供者側システムによって受け渡すための処理が実行された記録媒体に記録された識別番号が読出され、読出された識別番号がサービス提供者側システムに送信され、サービス提供者側システムに記憶された当該ユーザの個人情報に含まれるユーザに関連する地域の地域情報のうち、当該ユーザが所望するものの送信がサービス提供者側システムに要求される。
【００１１】
サービス提供者側システムによって、ユーザ側システムによって送信された識別番号が、記憶された識別番号であるか否かが認証され、認証されたことを条件として、認証された識別番号に対応付けて記憶された当該ユーザの個人情報に含まれる当該ユーザに関連する地域の地域情報のうち、ユーザ側システムによって送信が要求されたものが、ユーザ側システムに送信される。ユーザ側システムによって、サービス提供者側システムによって送信された地域情報が表示される。
【００１２】
このため、この情報配信システムによれば、記録媒体に記録された識別番号に対して、当該記録媒体を受け渡されたユーザに関連する地域が、確実に対応付けられる。また、この情報配信システムによれば、ユーザ側システムから要求されたユーザが所望する地域情報は、識別番号が認証されたことを条件として送信され、ユーザ側システムで表示される。その結果、ユーザに確実に関連する地域の情報を配信することが可能な情報配信システムを提供することができる。
【００１３】
好ましくは、情報配信システムは、さらに、事業者側システムを含む。事業者側システムは、ユーザが事業者の店舗を訪れたときに所持している記録媒体に記録された識別番号を読出す事業者側読出部と、事業者側読出部によって読出された識別番号に対応付けられた当該事業者のユーザのポイントを特定するポイント特定部と、当該店舗でのユーザの所定行為に対して当該ユーザの当該事業者のポイントを加算するための処理を実行するポイント付与部と、当該事業者以外のポイントの使用を禁止するとともに、ポイント特定部によって特定されたポイントに当該事業者のポイントが含まれている場合、当該ポイントを使用する行為に対して当該ユーザの当該事業者のポイントを減算するための処理を実行するポイント使用部とを備える。
【００１４】
この発明に従えば、事業者側システムによって、ユーザが事業者の店舗を訪れたときに所持している記録媒体に記録された識別番号が読出され、読出された識別番号に対応付けられた当該事業者のユーザのポイントが特定され、当該店舗でのユーザの所定行為に対して当該ユーザの当該事業者のポイントを加算するための処理が実行され、当該事業者以外のポイントの使用が禁止されるとともに、特定されたポイントに当該事業者のポイントが含まれている場合、当該ポイントを使用する行為に対して当該ユーザの当該事業者のポイントを減算するための処理が実行される。
【００１５】
このため、情報配信システムによれば、事業者ごとにポイントカードを持つ必要を無くすることができる。また、このように、ポイントを１つの記録媒体に記録するようにしてポイントを各事業者で共通化した場合、或る事業者のポイントが他の事業者で使用されると、ポイントの付与よりも使用が多い事業者に不利益が発生する。しかし、この情報配信システムによれば、それぞれの事業者ごとのポイントを分けて管理することができるので、このような不利益も発生しないようにすることができる。
【００１６】
好ましくは、情報配信システムは、さらに、事業者側システムを含む。事業者側システムは、当該事業者の店舗で使用できるクーポンを作成して、当該クーポンの配布対象と合わせて、サービス提供者側システムに登録する登録部を備える。サービス提供者側システムは、さらに、事業者側システムの登録部によって登録されたクーポンを当該クーポンの配布対象と対応付けて記憶するクーポン記憶部を備える。ユーザ側システムは、さらに、当該ユーザに対してクーポンが発行されているか否かを、サービス提供者側システムに問合せるクーポン問合せ部を備える。
【００１７】
サービス提供者側システムは、さらに、ユーザ側システムのクーポン問合せ部によって問合せがあった場合、当該問合せ元のユーザが含まれている配布対象に対応付けられてクーポン記憶部にクーポンが記憶されていれば、当該クーポンをユーザ側システムに送信するクーポン送信部を備える。ユーザ側システムは、さらに、サービス提供者側システムのクーポン送信部によってクーポンが送信された場合、当該クーポンを記録媒体に記憶させるクーポン書込部を備える。事業者側システムは、さらに、ユーザが事業者の店舗を訪れたときに所持している記録媒体に記録されたクーポンに対応したサービスをユーザに提供するために当該クーポンを確認する確認部を備える。
【００１８】
この発明に従えば、事業者側システムによって、当該事業者の店舗で使用できるクーポンが作成されて、当該クーポンの配布対象と合わせて、サービス提供者側システムに登録される。サービス提供者側システムによって、事業者側システムによって登録されたクーポンが当該クーポンの配布対象と対応付けられて記憶される。ユーザ側システムによって、当該ユーザに対してクーポンが発行されているか否かが、サービス提供者側システムに問合せられる。
【００１９】
サービス提供者側システムによって、ユーザ側システムによって問合せがあった場合、当該問合せ元のユーザが含まれている配布対象に対応付けられてクーポンが記憶されていれば、当該クーポンがユーザ側システムに送信される。ユーザ側システムによって、サービス提供者側システムによってクーポンが送信された場合、当該クーポンが記録媒体に記憶させられる。事業者側システムによって、ユーザが事業者の店舗を訪れたときに所持している記録媒体に記録されたクーポンに対応したサービスをユーザに提供するために当該クーポンが確認される。
【００２０】
このため、この情報配信システムによれば、記録媒体を使用することによってクーポンが取得でき、事業者の店舗に記録媒体を持って行くことによってクーポンに対応したサービスの提供を受けることができる。その結果、ユーザが記録媒体を使用する動機付けをすることができ、当該情報配信システムの利用を活性化させることができる。
【００２１】
好ましくは、サービス提供者側システムは、さらに、ユーザ側システムの要求部によって送信が要求された地域情報の履歴をユーザごとに記憶する履歴記憶部と、履歴記憶部に記憶された履歴に基づいて、ユーザの嗜好を分析する嗜好分析部とを備える。
【００２２】
この発明に従えば、サービス提供者側システムによって、ユーザ側システムによって送信が要求された地域情報の履歴がユーザごとに記憶され、記憶された履歴に基づいて、ユーザの嗜好が分析される。このため、この情報配信システムによれば、ユーザの地域情報の嗜好を把握することができる。
【００２３】
さらに好ましくは、サービス提供者側システムは、さらに、ユーザ側システムに、事業者の評価を問合せる評価問合せ部を備える。ユーザ側システムは、さらに、サービス提供者側システムの評価問合せ部によって問合せられた評価の回答をユーザから受付けて回答をサービス提供者側システムに送信する回答送信部を備える。サービス提供者側システムは、さらに、ユーザ側システムの回答送信部によって送信された回答に基づいて当該事業者の評価を分析する評価分析部と、評価分析部によって分析された事業者の評価と、嗜好分析部によって分析されたユーザの嗜好とが適合する組合せを特定するマッチング部とを備える。
【００２４】
この発明に従えば、サービス提供者側システムによって、ユーザ側システムに、事業者の評価が問合せられる。ユーザ側システムによって、サービス提供者側システムによって問合せられた評価の回答がユーザから受付けられて回答がサービス提供者側システムに送信される。サービス提供者側システムによって、ユーザ側システムによって送信された回答に基づいて当該事業者の評価が分析され、分析された事業者の評価と、分析されたユーザの嗜好とが適合する組合せが特定される。
【００２５】
このため、この情報配信システムによれば、ユーザの嗜好に適合する事業者、および、事業者に適合する嗜好を持つユーザを特定することができる。
【００２６】
またさらに好ましくは、サービス提供者側システムは、さらに、マッチング部によって特定された組合せを当該組合せのユーザに伝達する第１のマッチング結果伝達部を備える。
【００２７】
この発明に従えば、サービス提供者側システムによって、事業者の評価とユーザの嗜好とが適合するとして特定された組合せが当該組合せのユーザに伝達される。このため、この情報配信システムによれば、ユーザの嗜好に適合する事業者を当該ユーザに知らせることができる。
【００２８】
またさらに好ましくは、サービス提供者側システムは、さらに、マッチング部によって特定された組合せを当該組合せの事業者に伝達する第２のマッチング結果伝達部を備える。
【００２９】
この発明に従えば、サービス提供者側システムによって、事業者の評価とユーザの嗜好とが適合するとして特定された組合せが当該組合せの事業者に伝達される。このため、この情報配信システムによれば、事業者に適合する嗜好を持つユーザを当該事業者に知らせることができる。
【００３０】
さらに好ましくは、サービス提供者側システムは、さらに、嗜好分析部によって分析された嗜好が同一または類似する複数のユーザのユーザ側システムに、当該嗜好に適合する情報を送信する適合情報送信部を備える。
【００３１】
この発明に従えば、サービス提供者側システムによって、分析された嗜好が同一または類似する複数のユーザのユーザ側システムに、当該嗜好に適合する情報が送信される。このため、ニーズに適合した地域情報を効率良く配信することができる。
【００３２】
さらに好ましくは、サービス提供者側システムは、さらに、嗜好分析部によって分析された嗜好の傾向を地域ごとに分析する地域嗜好分析部と、地域嗜好分析部によって分析された地域の嗜好に適合する情報を、当該地域のユーザ側システムに送信する地域適合情報送信部とを備える。
【００３３】
この発明に従えば、サービス提供者側システムによって、分析された嗜好の傾向が地域ごとに分析され、分析された地域の嗜好に適合する情報が、当該地域のユーザ側システムに送信される。このため、ニーズに適合した地域情報を効率良く配信することができる。
【００３４】
好ましくは、情報配信システムは、さらに、事業者側システムを含む。サービス提供者側システムは、さらに、事業者側システムに、当該事業者が地域特有の企画に賛同するか否かの意思を問合せて当該意思を取得する企画参加意思問合せ部と、企画参加意思問合せ部によって当該企画に賛同する意思が取得された事業者から当該企画に応じた商品または役務の広告内容を受取る広告内容受取部と、広告内容受取部によって受取られた広告内容を当該企画について取り纏めた広告情報を、ユーザ側システムに送信する地域企画関連広告送信部とを備える。
【００３５】
この発明に従えば、サービス提供者側システムによって、事業者側システムに、当該事業者が地域特有の企画に賛同するか否かの意思が問合せられて当該意思が取得され、当該企画に賛同する意思が取得された事業者から当該企画に応じた商品または役務の広告内容が受取られ、受取られた広告内容を当該企画について取り纏めた広告情報が、ユーザ側システムに送信される。
【００３６】
このため、或る地域特有の企画に賛同する各事業者からの地域情報である広告がばらばらにユーザに配信される場合と比較して、地域情報である広告をユーザに対して効率良く配信することができ、当該企画に関連する地域情報を一気通貫でユーザに知らせることができる。これにより、当該広告の商品または役務をユーザが利用し易くすることができるので、事業者の商品または役務の利用を増加させることができる。
【００３７】
この発明の他の局面によれば、サービス提供者側システムによって入力が受付けられたユーザに関連する地域を特定可能な情報を含む個人情報のユーザに受け渡される記録媒体には、当該個人情報と対応付けてサービス提供者側システムに記憶される一意に割振られた識別番号が記録される。ユーザ側システムは、記録媒体に記録された識別番号を読出すユーザ側読出部と、ユーザ側読出部によって読出された識別番号をサービス提供者側システムに送信する送信部と、サービス提供者側システムに予め記憶された様々な地域の地域情報の中の当該ユーザの個人情報に含まれる当該ユーザに関連する地域の地域情報のうち、当該ユーザが所望するものの送信をサービス提供者側システムに要求する要求部と、送信部によって送信された識別番号がサービス提供者側システムによって個人情報と対応付けて記憶された識別番号であることが認証されたことを条件として送信されてきた要求部によって送信が要求された地域情報を、外部の表示装置に表示させるよう制御する表示制御部とを備える。
【００３８】
この発明に従えば、記録媒体に記録された識別番号に対して、当該記録媒体を受け渡されたユーザに関連する地域が、確実に対応付けられる。また、ユーザ側システムから要求されたユーザが所望する地域情報は、識別番号が認証されたことを条件として送信され、ユーザ側システムで表示される。その結果、ユーザに確実に関連する地域の情報の配信を受けることが可能なユーザ側システムを提供することができる。
【００３９】
この発明のさらに他の局面によれば、サービス提供者側システムによって入力が受付けられたユーザに関連する地域を特定可能な情報を含む個人情報のユーザに受け渡される記録媒体には、当該個人情報と対応付けて前記サービス提供者側システムに記憶される一意に割振られた識別番号が記録される。ユーザ側システムで実行される情報受信プログラムは、記録媒体に記録された識別番号を読出すステップと、読出された識別番号をサービス提供者側システムに送信するステップと、サービス提供者側システムに予め記憶された様々な地域の地域情報の中の当該ユーザの個人情報に含まれる当該ユーザに関連する地域の地域情報のうち、当該ユーザが所望するものの送信をサービス提供者側システムに要求するステップと、送信された識別番号がサービス提供者側システムによって個人情報と対応付けて記憶された識別番号であることが認証されたことを条件として送信されてきた要求された地域情報を、外部の表示装置に表示させるよう制御するステップとをユーザ側システムに実行させる。
【００４０】
この発明に従えば、記録媒体に記録された識別番号に対して、当該記録媒体を受け渡されたユーザに関連する地域が、確実に対応付けられる。また、ユーザ側システムから要求されたユーザが所望する地域情報は、識別番号が認証されたことを条件として送信され、ユーザ側システムで表示される。その結果、ユーザに確実に関連する地域の情報の配信を受けることが可能な情報受信プログラムを提供することができる。
【００４１】
この発明のさらに他の局面によれば、サービス提供者側システムは、様々な地域の地域情報を予め記憶する情報記憶部と、ユーザに関連する地域を特定可能な情報を含む個人情報の入力を受付ける個人情報入力受付部と、一意に割振られた識別番号が記録された記録媒体を、個人情報入力受付部によって受付けられた個人情報のユーザに受け渡すための処理を実行する記録媒体受渡部と、個人情報入力受付部によって受付けられた個人情報と、記録媒体受渡部によって受け渡すための処理が実行された記録媒体に記録された識別番号とを対応付けて記憶するユーザ記憶部と、記録媒体受渡部によってユーザに受け渡すための処理が実行された記録媒体からユーザ側システムによって読出され送信された識別番号がユーザ記憶部に記憶された識別番号であるか否かを認証する認証部と、認証部によって認証されたことを条件として、認証部によって認証された識別番号に対応付けて情報記憶部に記憶された当該ユーザの個人情報に含まれる当該ユーザに関連する地域の地域情報のうち、当該ユーザが所望するものとしてユーザ側システムによって送信が要求されたものを、ユーザ側システムによって表示させるために、ユーザ側システムに送信する要求情報送信部とを備える。
【００４２】
この発明に従えば、記録媒体に記録された識別番号に対して、当該記録媒体を受け渡されたユーザに関連する地域が、確実に対応付けられる。また、ユーザ側システムから要求されたユーザが所望する地域情報は、識別番号が認証されたことを条件として送信され、ユーザ側システムで表示される。その結果、ユーザに確実に関連する地域の情報を配信することが可能なサービス提供者側システムを提供することができる。
【図面の簡単な説明】
【００４３】
【図１】この発明の実施の形態における情報配信システムの概略を示す図である。
【図２】この実施の形態におけるユーザ側システムの概略を示す図である。
【図３】この実施の形態におけるＳＴＢモデルのユーザ側システムの構成を示すブロック図である。
【図４】この実施の形態におけるＰＣアプリケーション制御モデルのユーザ側システムの構成を示すブロック図である。
【図５】この実施の形態におけるＰＣリモコンモデルのユーザ側システムの構成を示すブロック図である。
【図６】この実施の形態における第１の事業者側システムの構成を示すブロック図である。
【図７】この実施の形態における第２の事業者側システムの構成を示すブロック図である。
【図８】この実施の形態における配信センタ側システムの構成を示すブロック図である。
【図９】この実施の形態における配信サーバの記憶部のデータベースに記憶される情報を示す図である。
【図１０】この実施の形態における配信センタ側システムで実行される会員キー発送処理の流れを示すフローチャートである。
【図１１】この実施の形態におけるユーザ側システムに含まれるリモコンの外観図である。
【図１２】この実施の形態においてユーザ側システムで表示される情報配信システムの設定画面を示す図である。
【図１３】この実施の形態におけるユーザ側システムおよび配信センタ側システムでそれぞれ実行される地域情報配信要求処理および地域情報配信処理の流れを示すフローチャートである。
【図１４】この実施の形態においてユーザ側システムで表示される地域情報の画面の遷移を示す第１の図である。
【図１５】この実施の形態においてユーザ側システムで表示される地域情報であるチラシを示す表示画面図である。
【図１６】この実施の形態においてユーザ側システムで表示される地域情報の画面の遷移を示す第２の図である。
【図１７】この実施の形態においてユーザ側システムで表示される地域情報の画面の遷移を示す第３の図である。
【図１８】この実施の形態においてユーザ側システムで表示される地域情報である特定の事業者の商品購入画面を示す図である。
【図１９】この実施の形態における情報配信システムにおいてクーポンを扱う場合の実施イメージを示す図である。
【図２０】この実施の形態におけるユーザ側システム、事業者側システムおよび配信センタ側システムでそれぞれ実行されるクーポンを扱うための処理の流れを示すフローチャートである。
【図２１】この実施の形態における事業者側システムのクーポン発券端末で実行されるクーポン発券処理の流れを示すフローチャートである。
【図２２】この実施の形態における事業者側システムのクーポン確認端末で実行されるクーポン確認処理の流れを示すフローチャートである。
【図２３】この実施の形態における情報配信システムにおいて各事業者ごとのポイントを扱う場合の実施イメージを示す図である。
【図２４】この実施の形態におけるユーザ側システム、事業者側システムおよび配信センタ側システムでそれぞれ実行される各事業者ごとのポイントを扱うための処理の流れを示す第１のフローチャートである。
【図２５】この実施の形態におけるユーザ側システム、事業者側システムおよび配信センタ側システムでそれぞれ実行される各事業者ごとのポイントを扱うための処理の流れを示す第２のフローチャートである。
【図２６】この実施の形態におけるユーザの嗜好性と事業者とのマッチングのイメージを示す図である。
【図２７】この実施の形態における配信センタ側システムで実行される嗜好性マッチング処理の流れを示すフローチャートである。
【図２８】この実施の形態における人と地域のイメージの形成による嗜好性のマッチングのイメージを示す図である。
【図２９】この実施の形態におけるトレンド発信によるマッチングのイメージを示す図である。
【図３０】この実施の形態における配信センタ側システムで実行される企画賛同型広告作成処理の流れを示すフローチャートである。
【図３１】この実施の形態の変形例における事業者側システムおよび配信センタ側システムでそれぞれ実行されるクーポンを扱うための処理の流れを示すフローチャートである。
【発明を実施するための形態】
【００４４】
以下、この発明の実施の形態について、図面を参照しながら詳細に説明する。なお、図中の同一または相当部分については、同一符号を付してその説明は繰返さない。
【００４５】
［情報配信システム］
図１は、この発明の実施の形態における情報配信システムの概略を示す図である。図１を参照して、情報配信システムは、ユーザ側システム１００Ａ〜１００Ｃと、事業者側システム２００Ａ，２００Ｂと、配信センタ側システム３００とを含む。
【００４６】
大型商業施設や小型店舗などの事業者は、事業者側システム２００Ａ，２００Ｂにそれぞれ含まれるＰＣ２７０および携帯端末２８０を用いて、提供している商品または役務（サービス）などの広告などを地域情報として配信センタ側システム３００に登録する。
【００４７】
地域情報としては、広告のような地域の店舗の情報だけでなく、他に、地域の行政の情報、および、地域のイベントの情報なども含まれる。
【００４８】
ユーザは、配信センタに住所および氏名などの個人情報を伝えて、シリアル番号が記録された後述する会員キー１８０を配信センタから受取る。
【００４９】
情報配信システムは、ユーザ側システム１００Ａ〜１００Ｃから、会員キー１８０に記録されたシリアル番号が送信されない限り、配信センタ側システム３００にアクセスできないように、構成されている。
【００５０】
配信センタ側システム３００は、ユーザ側システム１００Ａ〜１００Ｃからシリアル番号を受信することによって、アクセスしてきたユーザ側システム１００Ａ〜１００Ｃのユーザの個人情報から、アクセス元のユーザ側システム１００Ａ〜１００Ｃの地域を特定することができ、当該地域に応じた地域情報を当該ユーザ側システム１００Ａ〜１００Ｃに送信することができる。
【００５１】
これにより、配信センタは、ユーザの住所などユーザに関連する地域に応じた地域情報を配信することができるとともに、ユーザへの広告などの地域情報の配信履歴をユーザに関連する地域を特定して管理することができ、配信された地域が特定可能な履歴に基づいた情報およびサービスを提供することが可能となる。
【００５２】
なお、ユーザに関連する地域は、ユーザの住所の地域に限定されず、ユーザの勤務する会社または通学する学校の所在地の地域であってもよい。
【００５３】
図２は、この実施の形態におけるユーザ側システム１００Ａ〜１００Ｃの概略を示す図である。図１および図２を参照して、ユーザ側システムには、ＳＴＢ（Set Top Box）モデルのユーザ側システム１００Ａと、ＰＣ（Personal Computer）アプリケーションモデルのユーザ側システム１００Ｂと、ＰＣリモコンモデルのユーザ側システム１００Ｃとが含まれる。
【００５４】
ＳＴＢモデルのユーザ側システム１００Ａにおいては、テレビ受像機１５０ＡにＳＴＢ１１０が接続され、ＳＴＢ１１０はインターネット９００に接続され、ユーザは、リモコン１２０Ａを操作して、配信センタ側システム３００から地域情報の配信を受けることができる。ＳＴＢモデルのユーザ側システム１００Ａは、ＰＣを所持していない「ノンＰＣユーザ」に適している。
【００５５】
ＰＣアプリケーション制御モデルのユーザ側システム１００Ｂにおいては、ＰＣ１７０Ｂはインターネット９００に接続され、ユーザは、ＰＣ１７０Ｂを操作することによって、配信センタ側システム３００から地域情報の配信を受けることができる。ＰＣアプリケーション制御モデルのユーザ側システム１００Ｂは、ＰＣを所持しておりＰＣを活用している「現ＰＣユーザ」に適している。
【００５６】
ＰＣリモコンモデルのユーザ側システム１００Ｃにおいては、ＳＴＢ１３０がＰＣ１７０Ｃに接続され、ＰＣ１７０Ｃはインターネット９００に接続され、ユーザは、リモコン１２０Ｃを操作して、配信センタ側システム３００から地域情報の配信を受けることができる。ＰＣリモコンモデルのユーザ側システム１００Ｃは、ＰＣを所持しているがＰＣをあまり活用していない「将来のＰＣユーザ」に適している。
【００５７】
再び、図１を参照して、携帯端末５８０を用いたユーザ側システム５００においては、携帯端末５８０が電波を介してインターネット９００と接続され、ユーザは、携帯端末５８０を操作して、配信センタ側システム３００から地域情報の配信を受けることができる。
【００５８】
ユーザが、ユーザ側システム１００Ａ〜１００Ｃに表示された地域情報の１つである広告（チラシ）から、商品または役務を、直接、注文することができるように、ユーザ側システム１００Ａ〜１００Ｃは構成される。注文された商品は、宅配業者８００によって、事業者からユーザに配達される。
【００５９】
アラート機能として、配信センタ側システム３００は、地域テレビ局４００の電波の空き帯域を利用して、配信センタ側システム３００に記憶されている地域情報が更新された旨を、ユーザ側システム１００Ａ〜１００Ｃのテレビ受像機１５０Ａ〜１５０Ｃに送信して、表示させるようにする。
【００６０】
また、アラート機能として、ＳＴＢ１１０が、配信センタ側システム３００に定期的に地域情報が更新されたか否かを問合せて、更新があった場合に、表示灯を点灯または点滅させるようにする。
【００６１】
図３は、この実施の形態におけるＳＴＢモデルのユーザ側システム１００Ａの構成を示すブロック図である。図３を参照して、ＳＴＢモデルのユーザ側システム１００Ａは、ＳＴＢ１１０と、テレビ受像機１５０Ａとを含む。
【００６２】
ＳＴＢ１１０は、制御部１１１と、記憶部１１２と、表示灯１１４と、赤外線受信部１１５と、通信部１１７と、ＵＳＢ接続部１１８と、外部出力部１１９とを含む。
【００６３】
制御部１１１は、ＣＰＵ（Central Processing Unit）およびその補助回路を含み、ＳＴＢ１１０の各部を制御し、記憶部１１２に記憶されたプログラムおよびデータに従って所定の処理を実行し、通信部１１７およびＵＳＢ接続部１１８から入力されたデータを処理し、処理したデータを、記憶部１１２に記憶させたり、表示灯１１４で表示させたり、通信部１１７および外部出力部１１９から出力させたり、ＵＳＢ接続部１１８に接続された会員キー１８０に記憶させたりする。
【００６４】
記憶部１１２は、制御部１１１でプログラムを実行するために必要な作業領域として用いられるＲＡＭ（Random Access Memory）と、制御部１１１で実行するための基本的なプログラムを記憶するためのＲＯＭ（Read Only Memory）とを含む。また、ＲＡＭには、所定の処理を実行するためのデータまたはスクリプトなどのプログラムが、通信部１１７、または、ＵＳＢ接続部１１８から読込まれて記憶される。さらに、記憶部１１２の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００６５】
リモコン１２０Ａは、図１１で後述するような各種操作ボタンを備え、操作ボタンが操作されると、操作ボタンに応じた操作信号を、赤外線で、ＳＴＢ１１０の赤外線受信部１１５に送信する。なお、伝達方式は、赤外線に限定されず、他の無線方式であってもよい。
【００６６】
赤外線受信部１１５は、リモコン１２０Ａからの操作信号を赤外線で受信し、受信した操作信号を制御部１１１に送信する。制御部１１１は、赤外線受信部１１５からの操作信号に応じてＳＴＢ１１０の各部を制御する。
【００６７】
通信部１１７は、制御部１１１からの情報をインターネット９００を介して外部サーバなどに送信するとともに、外部サーバなどからインターネット９００を介して送信されてきた情報を受信して制御部１１１に受け渡す。
【００６８】
会員キー１８０は、ＵＳＢメモリで構成され、シリアル番号および後述するクーポンを記憶する。会員キー１８０は、他の情報を記憶可能としてもよい。
【００６９】
ＵＳＢ接続部１１８は、会員キー１８０および他のＵＳＢ対応機器を接続可能な接続部であり、制御部１１１から受けた情報を接続された機器に出力したり、接続された機器から入力された情報を制御部１１１に受け渡したりする。
【００７０】
外部出力部１１９は、制御部１１１に制御されて、テレビ受像機１５０Ａに表示させる情報を示す映像信号を出力する。
【００７１】
表示灯１１４は、ＳＴＢ１１０の電源がオン状態である旨、および、配信センタ側システム３００に記憶されている当該ユーザの地域の地域情報が更新された旨を、ランプを点灯または点滅させることで表示する。
【００７２】
テレビ受像機１５０Ａは、制御部１５１と、記憶部１５２と、操作部１５３と、表示部１５４と、放送受信部１５６と、外部入力部１５９とを含む。
【００７３】
制御部１５１は、ＣＰＵおよびその補助回路を含み、テレビ受像機１５０Ａの各部を制御し、記憶部１５２に記憶されたプログラムおよびデータに従って所定の処理を実行し、操作部１５３、放送受信部１５６および外部入力部１５９から入力されたデータを処理し、処理したデータを、記憶部１５２に記憶させたり、表示部１５４で表示させたりする。
【００７４】
記憶部１５２は、制御部１５１でプログラムを実行するために必要な作業領域として用いられるＲＡＭと、制御部１５１で実行するための基本的なプログラムを記憶するためのＲＯＭとを含む。さらに、記憶部１５２の記憶領域を補助するための補助記憶装置の記憶媒体として、磁気ディスク（ＨＤ、ＦＤ）、光ディスク（ＣＤ、ＤＶＤ、ＢＤ）、光磁気ディスク（ＭＯ）、または、半導体メモリ（メモリカード、ＳＳＤ）などが用いられてもよい。
【００７５】
操作部１５３は、主電源をオンしたりオフしたりするための主電源スイッチと、チャンネルを昇順または降順に切換えるためのチャンネル切換えボタンと、音量を増加させたり減少させたりするための音量ボタンとを含む。なお、操作部１５３は、他の操作のための部分を含むようにしてもよい。操作部１５３がユーザによって操作されることによって、操作部１５３から制御部１５１に操作に応じた操作信号が送信される。制御部１５１は、操作部１５３からの操作信号に応じてテレビ受像機１５０Ａの各部を制御する。操作部１５３は、リモコンを備えるようにしてもよい。
【００７６】
放送受信部１５６は、制御部１５１によって制御されて、放送局からアンテナ１５７を介して受信した放送信号を復調し、復調した信号のうち動画圧縮データ（たとえば、ＭＰＥＧ（Moving Picture Experts Group）−２データ、ＭＰＥＧ−４データ、Ｈ．２６４データ）を復号して映像信号および音声信号に変換し、変換した映像信号および音声信号を表示部１５４に送信する。
【００７７】
外部入力部１５９は、外部の装置、ここでは、ＳＴＢ１１０から入力された映像信号を、制御部１５１によって制御されて、表示部１５４に送信する。
【００７８】
表示部１５４は、ディスプレイ（たとえば、ＬＣＤ（Liquid Crystal Display））およびスピーカを含む。表示部１５４は、制御部１５１によって制御されて、放送受信部１５６で受信された放送信号が変換された映像信号および音声信号、または、外部入力部１５９から入力された映像信号を、それぞれ、映像としてディスプレイに表示し、音声としてスピーカから出力する。
【００７９】
図４は、この実施の形態におけるＰＣアプリケーション制御モデルのユーザ側システム１００Ｂの構成を示すブロック図である。図４を参照して、ＰＣアプリケーションモデルのユーザ側システム１００Ｂは、テレビ受像機１５０Ｂと、ＰＣ１７０Ｂとを含む。
【００８０】
テレビ受像機１５０Ｂの構成は、図３で説明したテレビ受像機１５０Ａと同様であるので、重複する説明は繰返さない。
【００８１】
ＰＣ１７０Ｂは、制御部１７１と、記憶部１７２と、操作部１７３と、表示部１７４と、通信部１７７と、ＵＳＢ接続部１７８とを含む。
【００８２】
制御部１７１は、ＣＰＵおよびその補助回路を含み、ＰＣ１７０Ｂの各部を制御し、記憶部１７２に記憶されたプログラムおよびデータに従って所定の処理を実行し、操作部１７３、通信部１７７およびＵＳＢ接続部１７８から入力されたデータを処理し、処理したデータを、記憶部１７２に記憶させたり、表示部１７４で表示させたり、通信部１７７から出力させたり、ＵＳＢ接続部１７８に接続された会員キー１８０に記憶させたりする。
【００８３】
記憶部１７２は、制御部１７１でプログラムを実行するために必要な作業領域として用いられるＲＡＭと、制御部１７１で実行するための基本的なプログラムを記憶するためのＲＯＭとを含む。また、ＲＡＭには、所定の処理を実行するためのデータまたはスクリプトなどのプログラムが、通信部１７７、または、ＵＳＢ接続部１７８から読込まれて記憶される。さらに、記憶部１７２の記憶領域を補助するための補助記憶装置の記憶媒体として、磁気ディスク（ＨＤ、ＦＤ）、光ディスク（ＣＤ、ＤＶＤ、ＢＤ）、光磁気ディスク（ＭＯ）、または、半導体メモリ（メモリカード、ＳＳＤ）などが用いられてもよい。
【００８４】
操作部１７３は、キーボードおよびマウスで構成され、ユーザによる操作を示す操作信号を制御部１７１に送信する。
【００８５】
通信部１７７は、制御部１７１からの情報をインターネット９００を介して外部サーバなどに送信するとともに、外部サーバなどからインターネット９００を介して送信されてきた情報を受信して制御部１７１に受け渡す。
【００８６】
ＵＳＢ接続部１７８は、会員キー１８０および他のＵＳＢ対応機器を接続可能な接続部であり、制御部１７１から受けた情報を接続された機器に出力したり、接続された機器から入力された情報を制御部１７１に受け渡したりする。
【００８７】
表示部１７４は、ディスプレイ（たとえば、ＬＣＤ）を含む。表示部１７４は、制御部１７１によって制御されて、所定の情報を表示する。
【００８８】
図５は、この実施の形態におけるＰＣリモコンモデルのユーザ側システム１００Ｃの構成を示すブロック図である。図５を参照して、ＰＣリモコンモデルのユーザ側システム１００Ｃは、ＳＴＢ１３０と、テレビ受像機１５０Ｃと、ＰＣ１７０Ｃとを含む。
【００８９】
テレビ受像機１５０Ｃの構成は、図３で説明したテレビ受像機１５０Ａと同様であるので、重複する説明は繰返さない。ＰＣ１７０Ｃの構成は、図４で説明したＰＣ１７０Ｂと同様であるので、重複する説明は繰返さない。
【００９０】
ＳＴＢ１３０は、制御部１３１と、記憶部１３２と、表示灯１３４と、赤外線受信部１３５と、ＵＳＢ接続部１３８とを含む。
【００９１】
ＳＴＢ１３０の制御部１３１、記憶部１３２、表示灯１３４、赤外線受信部１３５、および、ＵＳＢ接続部１３８の機能は、図３で説明したＳＴＢ１１０の制御部１１１、記憶部１１２、表示灯１１４、赤外線受信部１１５、および、ＵＳＢ接続部１１８と同様であるので、重複する説明は繰返さない。
【００９２】
なお、ＳＴＢモデルのユーザ側システム１００ＡおよびＰＣリモコンモデルのユーザ側システム１００Ｃにおいては、リモコン１２０Ａ，１２０Ｃからの赤外線信号には、配信センタ独自のコードが含められる。このため、他のリモコンの信号による誤動作を起こさないようにすることができる。
【００９３】
また、ＰＣリモコンモデルのユーザ側システム１００Ｃにおいては、リモコン１２０Ｃからの信号は、ＳＴＢ１３０では処理されず、そのまま、それぞれのＵＳＢ接続部１３８，１７８を接続するＵＳＢケーブルを介してＰＣ１７０Ｃに送信され、ＰＣ１７０Ｃで実行される専用アプリケーションプログラムで処理される。
【００９４】
図６は、この実施の形態における第１の事業者側システム２００Ａの構成を示すブロック図である。図６を参照して、スーパー、ドラッグストアおよびホームセンタなどの大型商業施設などに備えられる第１の事業者側システム２００Ａは、クーポン発券端末２４０と、ＰＣ２７０とを含む。
【００９５】
ＰＣ２７０の構成は、図４で説明したＰＣ１７０Ｂと同様であるので、重複する説明は繰返さない。
【００９６】
クーポン発券端末２４０は、制御部２４１と、記憶部２４２と、操作部２４３と、表示部２４４と、印刷部２４６と、通信部２４７と、ＵＳＢ接続部２４８とを含む。
【００９７】
制御部２４１は、ＣＰＵおよびその補助回路を含み、クーポン発券端末２４０の各部を制御し、記憶部２４２に記憶されたプログラムおよびデータに従って所定の処理を実行し、操作部２４３、通信部２４７およびＵＳＢ接続部２４８から入力されたデータを処理し、処理したデータを、記憶部２４２に記憶させたり、表示部２４４で表示させたり、印刷部２４６で印刷させたり、通信部２４７から出力させたり、ＵＳＢ接続部２４８に接続された会員キー１８０に記憶させたりする。
【００９８】
記憶部２４２は、制御部２４１でプログラムを実行するために必要な作業領域として用いられるＲＡＭと、制御部２４１で実行するための基本的なプログラムを記憶するためのＲＯＭとを含む。また、ＲＡＭには、所定の処理を実行するためのデータまたはスクリプトなどのプログラムが、通信部２４７、または、ＵＳＢ接続部２４８から読込まれて記憶される。さらに、記憶部２４２の記憶領域を補助するための補助記憶装置の記憶媒体として、磁気ディスク（ＨＤ、ＦＤ）、光ディスク（ＣＤ、ＤＶＤ、ＢＤ）、光磁気ディスク（ＭＯ）、または、半導体メモリ（メモリカード、ＳＳＤ）などが用いられてもよい。
【００９９】
操作部２４３は、表示部２４４のディスプレイ上のタッチパネルで構成され、ユーザによる操作を示す操作信号を制御部２４１に送信する。
【０１００】
通信部２４７は、制御部２４１からの情報をインターネット９００を介して外部サーバなどに送信するとともに、外部サーバなどからインターネット９００を介して送信されてきた情報を受信して制御部２４１に受け渡す。
【０１０１】
ＵＳＢ接続部２４８は、会員キー１８０を接続するための接続部であり、制御部２４１から受けた情報を接続された会員キー１８０に記憶させたり、接続された会員キー１８０から入力されたクーポンなど情報を制御部２４１に受け渡したりする。
【０１０２】
表示部２４４は、ディスプレイ（たとえば、ＬＣＤ）を含む。表示部２４４は、制御部２４１によって制御されて、所定の情報を表示する。
【０１０３】
印刷部２４６は、プリンタを含み、制御部２４１によって制御されて、当該事業者または他の事業者のクーポンを印刷する。
【０１０４】
図７は、この実施の形態における第２の事業者側システム２００Ｂの構成を示すブロック図である。図７を参照して、喫茶店および飲食店などの小型店舗などに備えられる事業者側システム２００Ｂは、クーポン確認端末２６０と、携帯端末２８０とを含む。
【０１０５】
クーポン確認端末２６０は、図６で説明したクーポン発券端末２４０から印刷部２４６を除いた構成であるので、重複する説明は繰返さない。
【０１０６】
携帯端末２８０は、制御部２８１と、記憶部２８２と、操作部２８３と、表示部２８４と、音声入出力部２８６と、通信部２８７とを含む。
【０１０７】
制御部２８１は、ＣＰＵおよびその補助回路を含み、携帯端末２８０の各部を制御し、記憶部２８２に記憶されたプログラムおよびデータに従って所定の処理を実行し、操作部２８３および通信部２８７から入力されたデータを処理し、処理したデータを、記憶部２８２に記憶させたり、表示部２８４で表示させたり、通信部２８７から出力させたりする。また、制御部２８１は、音声入出力部２８６から入力された音声を処理し、処理した音声信号を通信部２８７から出力させたり、通信部２８７から入力された音声信号を処理し、処理した音声を音声入出力部２８６から出力させたりする。
【０１０８】
記憶部２８２は、制御部２８１でプログラムを実行するために必要な作業領域として用いられるＲＡＭと、制御部２８１で実行するための基本的なプログラムを記憶するためのＲＯＭとを含む。また、ＲＡＭには、所定の処理を実行するためのデータまたはスクリプトなどのプログラムが、通信部２８７から読込まれて記憶される。さらに、記憶部２８２の記憶領域を補助するための補助記憶装置の記憶媒体として、磁気ディスク（ＨＤ）、または、半導体メモリ（メモリカード、ＳＳＤ）などが用いられてもよい。
【０１０９】
操作部２８３は、操作キーおよびダイヤルキーで構成され、ユーザによる操作を示す操作信号を制御部２８１に送信する。
【０１１０】
通信部２８７は、制御部２８１からの情報をインターネット９００を介して外部サーバなどに送信するとともに、外部サーバなどからインターネット９００を介して送信されてきた情報を受信して制御部２８１に受け渡す。また、通信部２８７は、音声入出力部２８６から入力され制御部２８１で処理された音声信号を携帯電話網を介して他の携帯端末または電話に送信するとともに、他の携帯端末または電話から携帯電話網を介して送信されてきた音声信号を受信して制御部２８１で処理して音声入出力部２８６から出力する。
【０１１１】
表示部２８４は、ディスプレイ（たとえば、ＬＣＤ）を含む。表示部２８４は、制御部２８１によって制御されて、所定の情報を表示する。
【０１１２】
図８は、この実施の形態における配信センタ側システム３００の構成を示すブロック図である。図８を参照して、配信センタ側システム３００は、配信サーバ３１０を含む。
【０１１３】
配信サーバ３１０の構成は、図４で説明したＰＣ１７０ＢからＵＳＢ接続部１７８を除いた構成であるので、重複する説明は繰返さない。
【０１１４】
図９は、この実施の形態における配信サーバ３１０の記憶部３１２のデータベース（以下、ＤＢともいう）に記憶される情報を示す図である。図９を参照して、このＤＢには、利用者（ユーザ）の情報として、利用者識別番号（シリアル番号）、氏名、性別、生年月日、住所、電話番号、および、暗証番号などを示す情報が対応付けられて記憶される。
【０１１５】
クライアント（事業者）の情報として、クライアント識別番号、クライアント名、および、所在地などを示す情報が対応付けられて記憶される。クライアント店舗（事業者の店舗）の情報として、クライアント店舗識別番号、クライアント識別番号、クライアント店舗名、および、所在地などを示す情報が対応付けられて記憶される。
【０１１６】
地域情報としてのチラシの情報として、チラシ識別番号、クライアント識別番号、クライアント店舗識別番号、タイトル、ファイルパス、および、ファイル名などを示す情報が対応付けられて記憶される。チラシを見たユーザの履歴を示すチラシログとして、チラシ識別番号、利用者識別番号、および、クリック日時などを示す情報が対応付けられて記憶される。
【０１１７】
地域情報としてのバナー広告の情報として、バナー広告識別番号、クライアント識別番号、ファイルパス、および、ファイル名などを示す情報が対応付けられて記憶される。バナー広告を見たユーザの履歴を示すバナー広告ログとして、バナー広告識別番号、利用者識別番号、および、クリック日時などを示す情報が対応付けられて記憶される。
【０１１８】
図１０は、この実施の形態における配信センタ側システム３００で実行される会員キー発送処理の流れを示すフローチャートである。図１０を参照して、まず、ステップＳ３０１で、配信センタ側システム３００の配信サーバ３１０の制御部３１１は、配信サーバ３１０で行なうことができる処理のメニューから、会員登録の処理が選択されたか否かを判断する。選択されていないと判断した場合（ステップＳ３０１でＮＯと判断した場合）、制御部３１１は、実行する処理をこの処理の呼出元の処理に戻す。
【０１１９】
会員登録の処理が選択されたと判断した場合（ステップＳ３０１でＹＥＳと判断した場合）、ステップＳ３０２で、制御部３１１は、ユーザから受取った紙の申込書に記載されたユーザの住所および氏名などの個人情報の手入力をオペレータから受付ける。なお、ここで、ユーザによってインターネット９００を経由して入力された個人情報を読込むようにしてもよい。
【０１２０】
次に、ステップＳ３０３で、制御部３１１は、送付する会員キー１８０に記憶されたシリアル番号の入力を受付ける。なお、ここで、会員キー１８０からシリアル番号を読込むようにしてもよい。
【０１２１】
そして、ステップＳ３０４で、制御部３１１は、ステップＳ３０２で入力が受付けられた個人情報と、ステップＳ３０３で入力が受付けられたシリアル番号とを対応付けて、図９で説明したように利用者（ユーザ）の情報として記憶部３１２に記憶させる。
【０１２２】
次いで、ステップＳ３０５で、制御部３１１は、ステップＳ３０２で入力を受付けた個人情報のうち、住所および氏名を、会員キー１８０の送付先として印刷することによって、会員キー１８０をユーザに受け渡すための処理を実行する。その後、制御部３１１は、実行する処理をこの処理の呼出元の処理に戻す。
【０１２３】
会員キー１８０が梱包された包装は、印刷された送付先が添付されて、発送される。これにより、会員キー１８０が、返送されずに、到達すれば、住所および氏名の正当性を確認することができる。
【０１２４】
なお、係員がユーザ宅に出向いてユーザ側システム１００Ａ〜１００Ｃを設置するような場合は、係員が、直接、ユーザから個人情報を入手して、ユーザに会員キー１８０を手渡すようにしてもよい。これにより、さらに、シリアル番号と個人情報との組合せの正当性を向上させることができる。この場合は、ステップＳ３０５の会員キー１８０をユーザに受け渡すための処理として、制御部３１１は、会員キー１８０を手渡しするユーザの住所および氏名を表示するよう表示部３１４を制御する。係員は、この表示を見ることによって、会員キー１８０を渡すユーザの住所および氏名を知ることができる。
【０１２５】
このように、配信サーバ３１０は、シリアル番号と個人情報とを正当性が高い状態で記憶することができる。会員キー１８０のシリアル番号は、配信センタ側システム３００にアクセスされるときに送信されるので、配信サーバ３１０は、送信されてきたシリアル番号と対応して記憶している個人情報から、ユーザの住所および氏名を、高い正当性で特定
することができる。
【０１２６】
図１１は、この実施の形態におけるユーザ側システムに含まれるリモコン１２０の外観図である。図１１を参照して、リモコン１２０には、操作ボタンとして、ＴＯＰボタン１２０１と、電源ボタン１２０２と、メニューダイレクト選択ボタン１２０３Ａ〜１２０３Ｆと、オプションボタン１２０４Ａ，１２０４Ｂと、十字キー１２０５と、決定ボタン１２０６と、戻るボタン１２０７と、進むボタン１２０８と、スポンサダイレクトリンクボタン１２０９Ａ〜１２０９Ｃと、設定ボタン１２１０と、インターネットボタン１２１１と、ＷＥＢリンクダイレクトボタン１２１２が含まれる。
【０１２７】
ＴＯＰボタン１２０１は、当該ユーザに関連する地域に応じて配信センタ側システム３００から配信されるＴＯＰページに移動するためのボタンである。電源ボタン１２０２は、ＳＴＢ１１０の電源をオン状態またはオフ状態に切替えるためのボタンである。
【０１２８】
メニューダイレクト選択ボタン１２０３Ａ〜１２０３Ｆは、図１４、図１７および図１８で後述する地域情報のページのメニュー画面において、丸付き数字の付されたリンクを選択決定するためのボタンである。
【０１２９】
オプションボタン１２０４Ａ，１２０４Ｂは、地域情報のページ等において、オプションのリンクが表示されている場合に、それぞれのボタンに付されたマークが表示されたリンクのオプションを選択決定するためのボタンである。
【０１３０】
十字キー１２０５は、表示されている画面において、リンクの仮選択表示を上下左右の別のリンクに移動させるためのボタンである。決定ボタン１２０６は、仮選択されているリンクを選択決定するためのボタンである。
【０１３１】
スポンサダイレクトリンクボタン１２０９Ａ〜１２０９Ｃは、当該情報配信システムのスポンサなどの地域情報のページに直接移動するためのボタンである。ＷＥＢリンクダイレクトボタン１２１２は、設定により登録された良く使うウェブのリンク先（たとえば、特定の動画サイト）に移動するためのボタンである。インターネットボタン１２１１は、地域情報とは異なる通常のインターネットサイトの閲覧を開始するためのボタンである。
【０１３２】
戻るボタン１２０７は、表示画面を前の画面に戻すためのボタンである。進むボタン１２０８は、表示画面を次の画面に進めるためのボタンである。設定ボタン１２１０は、設定画面を表示させるためのボタンである。
【０１３３】
図１２は、この実施の形態においてユーザ側システム１００Ａ〜１００Ｃで表示される情報配信システムの設定画面を示す図である。リモコン１２０で、設定ボタン１２１０が操作されると、この設定画面が表示される。この設定画面においては、十字キー１２０５の左右が操作されることによって、仮選択表示（図では他のアイコンより大きいアイコン表示）が切替えられ、決定ボタン１２０６が操作されることによって、仮選択表示のアイコンで示されている機能が選択決定され、その機能が実行される。
【０１３４】
たとえば、「ＴＯＰ」アイコンが選択されると、ＴＯＰボタン１２０１が操作された場合と同様、当該ユーザに関連する地域に応じて配信センタ側システム３００から配信されるＴＯＰページに移動する。
【０１３５】
「動画」、「写真」および「音楽」アイコンが選択されると、それぞれ、動画、写真および音楽のアプリケーションソフトが起動される。「ＷＷＷ」アイコンが選択されると、インターネットボタン１２１１が操作された場合と同様、地域情報とは異なる通常のインターネットサイトの閲覧が開始される。
【０１３６】
「設定」アイコンが選択されると、ユーザ側システム１００Ａ〜１００Ｃの各種設定を行なうための画面が表示される。
【０１３７】
図１３は、この実施の形態におけるユーザ側システム１００Ａ〜１００Ｃおよび配信センタ側システム３００でそれぞれ実行される地域情報配信要求処理および地域情報配信処理の流れを示すフローチャートである。
【０１３８】
以下、ユーザ側システム１００Ａ〜１００Ｃにおいて実行される処理のプログラムは、ＳＴＢモデルのユーザ側システム１００Ａでは、予め、または、配信サーバ３１０からダウンロードされてインストールされることによって、ＳＴＢ１１０の記憶部１１２に記憶される。ＰＣアプリケーション制御モデルのユーザ側システム１００Ｂでは、配信サーバ３１０からダウンロードされて、または、ＣＤ−ＲＯＭなどの記録媒体から読込まれて、インストールされることによって、ＰＣ１７０Ｂの記憶部１７２に記憶される。ＰＣリモコンモデルのユーザ側システム１００Ｃでは、配信サーバ３１０からダウンロードされて、または、ＣＤ−ＲＯＭなどの記録媒体から読込まれて、インストールされることによって、ＰＣ１７０Ｃの制御部１７１によって実行される。
【０１３９】
また、ユーザ側システム１００Ａ〜１００Ｃにおいて実行される処理は、ＳＴＢモデルのユーザ側システム１００Ａでは、ＳＴＢ１１０の制御部１１１によって実行され、ＰＣアプリケーション制御モデルのユーザ側システム１００Ｂでは、ＰＣ１７０Ｂの制御部１７１によって実行され、ＰＣリモコンモデルのユーザ側システム１００Ｃでは、ＰＣ１７０Ｃの制御部１７１によって実行される。
【０１４０】
図１３を参照して、ステップＳ１１１で、ユーザ側システム１００Ａ〜１００Ｃの制御部は、ＵＳＢ接続部に会員キー１８０が接続され、かつ、操作部等で配信要求のための操作がされたか否かを判断する。
【０１４１】
リモコン１２０のＴＯＰボタン１２０１が操作されることによって、配信要求のための操作がされたと判断される。会員キー１８０が接続されていない、または、配信要求の操作がされていないと判断した場合（ステップＳ１１１でＮＯと判断した場合）、制御部は、実行する処理をこの処理の呼出元の処理に戻す。
【０１４２】
一方、会員キー１８０が接続され、かつ、配信要求の操作がされたと判断した場合（ステップＳ１１１でＹＥＳと判断した場合）、ステップＳ１１２で、制御部は、接続された会員キー１８０からシリアル番号を読出す。シリアル番号が読出せない場合はエラー表示が出力される。
【０１４３】
次に、ステップＳ１１３で、制御部は、ステップＳ１１２で読出したシリアル番号を含む配信要求を、配信センタ側システム３００の配信サーバ３１０に送信するよう通信部を制御する。なお、シリアル番号は、暗号化されて送信される。
【０１４４】
配信サーバ３１０においては、ステップＳ３１１で、制御部３１１は、ユーザ側システムから配信要求を受信したか否かを判断する。受信していないと判断した場合（ステップＳ３１１でＮＯと判断した場合）、制御部３１１は、実行する処理をこの処理の呼出元の処理に戻す。
【０１４５】
一方、配信要求を受信したと判断した場合（ステップＳ３１１でＹＥＳと判断した場合）、ステップＳ３１２で、制御部３１１は、ステップＳ３１１で受信して復号したシリアル番号が、記憶部３１２に記憶されたシリアル番号であるか否かを判断する。記憶されたシリアル番号でないと判断した場合（ステップＳ３１２でＮＯと判断した場合）、制御部３１１は、実行する処理をこの処理の呼出元の処理に戻す。
【０１４６】
一方、記憶されたシリアル番号であると判断した場合（ステップＳ３１２でＹＥＳと判断した場合）、ステップＳ３１３で、制御部３１１は、ステップＳ３１１で受信したシリアル番号に対応して記憶部３１２に記憶されているユーザの個人情報に含まれる住所に対応する地域のトップページを送信するよう通信部３１７を制御する。
【０１４７】
図１４は、この実施の形態においてユーザ側システム１００Ａ〜１００Ｃで表示される地域情報の画面の遷移を示す第１の図である。図１４を参照して、上段左側のタイトル「ＴＯＰ」の画面が、配信サーバ３１０からユーザ側システム１００Ａ〜１００Ｃに送信されるトップページの画面である。
【０１４８】
タイトル「ＴＯＰ」の画面には、丸付き数字が付された６つのリンクが表示され、その下には、仮選択されているリンクの説明が表示される。
【０１４９】
図１１に戻って、ユーザ側システム１００Ａ〜１００Ｃにおいては、ステップＳ１１４で、制御部は、配信サーバ３１０から送信されてきたページを受信したか否かを判断する。ページを受信したと判断した場合（ステップＳ１１４でＹＥＳと判断した場合）、ステップＳ１１５で、制御部は、ステップＳ１１４で受信したページを表示するよう表示部を制御する。制御部は、実行する処理をステップＳ１１６の処理に進める。
【０１５０】
ページを受信していないと判断した場合（ステップＳ１１４でＮＯと判断した場合）、および、ステップＳ１１５の後、ステップＳ１１６で、制御部は、表示されたページにおいてリンクが選択されたか否かを判断する。リンクの選択は、メニューダイレクト選択ボタン１２０３Ａ〜１２０３Ｆのうち、表示中のページの丸付き数字の付されたリンクの数字のメニューダイレクト操作ボタンが操作されることによって行なわれる。
【０１５１】
リンクが選択されたと判断した場合（ステップＳ１１６でＮＯと判断した場合）、ステップＳ１１７で、制御部は、リンク先のページを送信要求を、配信センタ側システム３００の配信サーバ３１０に送信するよう通信部を制御する。ここで、送信要求にシリアル番号を含めて送信するようにしてもよい。
【０１５２】
配信サーバ３１０においては、ステップＳ３１５で、制御部３１１は、ユーザ側システム１００Ａ〜１００Ｃから送信要求を受信したか否かを判断する。送信要求を受信したと判断した場合（ステップＳ３１５でＹＥＳと判断した場合）、ステップＳ３１６で、制御部３１１は、要求されたページを送信するよう通信部３１７を制御する。そして、ステップＳ３１７で、制御部３１１は、送信したページが、特定の事業者のページであれば、送信先のユーザのシリアル番号と当該ページの識別番号とを対応付けて、図９で説明したようにチラシログまたはバナー広告ログとして記憶部３１２に記憶させる。
【０１５３】
ユーザ側システム１００Ａ〜１００Ｃにおいては、上述したステップＳ１１４およびステップＳ１１５において、要求したページが表示される。
【０１５４】
表示されたページにおいてリンクが選択されていないと判断した場合（ステップＳ１１６でＹＥＳと判断した場合）、および、ステップＳ１１７の後、ステップＳ１１８で、制御部は、リモコン１２０によって終了操作が行なわれたか否かを判断する。終了操作は、地域情報を見る操作以外の操作であり、たとえば、設定ボタン１２１０、インターネットボタン１２１１およびＷＥＢリンクダイレクトボタンの操作である。
【０１５５】
終了操作が行なわれていないと判断した場合（ステップＳ１１８でＮＯと判断した場合）、制御部は、実行する処理をステップＳ１１４の処理に戻す。一方、終了操作が行なわれたと判断した場合（ステップＳ１１８でＹＥＳと判断した場合）、ステップＳ１１９で、制御部は、終了操作が行なわれた旨の終了情報を配信サーバ３１０に送信するよう通信部を制御する。その後、制御部は、実行する処理をこの処理の呼出元の処理に戻す。
【０１５６】
配信サーバ３１０においては、ユーザ側システム１００Ａ〜１００Ｃから送信要求を受信していないと判断した場合（ステップＳ３１５でＮＯと判断した場合）、および、ステップＳ３１７の後、ステップＳ３１８で、ユーザ側システム１００Ａ〜１００Ｃから終了情報を受信したか否かを判断する。
【０１５７】
終了情報を受信していないと判断した場合（ステップＳ３１８でＮＯと判断した場合）、制御部３１１は、実行する処理をステップＳ３１５の処理に戻す。一方、終了情報を受信したと判断した場合（ステップＳ３１８でＹＥＳと判断した場合）、制御部３１１は、実行する処理をこの処理の呼出元の処理に戻す。
【０１５８】
図１４に進んで、たとえば、タイトル「ＴＯＰ」の画面において、丸付き数字１のリンクが選択されると、中段左側のタイトル「お買い得情報」の画面がユーザ側システム１００Ａ〜１００Ｃに送信され、表示される。
【０１５９】
このようにしてリンクを辿っていくことによって、上段真中および上段右側のような事業者の店舗のチラシが表示されたり、下段左側のようなその他の詳細情報が表示されたりする。
【０１６０】
図１５は、この実施の形態においてユーザ側システム１００Ａ〜１００Ｃで表示される地域情報であるチラシを示す表示画面図である。図１５（Ａ）を参照して、このチラシ画面では、複数の店舗のチラシが一覧で表示される。
【０１６１】
図１５（Ｂ）を参照して、図１５（Ａ）の画面において、或る店舗のチラシが選択されると、その店舗のチラシを拡大表示した画面が表示される。この画面において「店舗情報を携帯に送る」のリンクが選択決定されると、予め設定された当該ユーザの携帯に、当該店舗の情報がメール送信される。
【０１６２】
図１６は、この実施の形態においてユーザ側システム１００Ａ〜１００Ｃで表示される地域情報の画面の遷移を示す第２の図である。図１７は、この実施の形態においてユーザ側システム１００Ａ〜１００Ｃで表示される地域情報の画面の遷移を示す第３の図である。図１６および図１７は、図１４と同様の画面の遷移を示すので、重複する説明は繰返さない。
【０１６３】
図１８は、この実施の形態においてユーザ側システム１００Ａ〜１００Ｃで表示される地域情報である特定の事業者の商品購入画面を示す図である。図１８を参照して、この画面は、図１４、図１６および図１７で説明したリンクを辿って表示することが可能とされてもよいし、リモコン１２０のスポンサダイレクトリンクボタン１２０９Ａ〜１２０９Ｃが選択されることによって表示することが可能とされてもよい。
【０１６４】
ユーザは、図１８（Ａ）の画面からリンクを辿って、図１８（Ｂ）のような画面を表示させる。図１８（Ｂ）の画面においては、商品の注文をすることができる。このようにして注文された商品は、事業者の店舗から宅配業者８００によってユーザに配達される。また、この情報配信システムの場合、事業者の店舗とユーザとは同じ地域であるので、配達時間もあまり掛からず、何か不具合があってもユーザはすぐに事業者に対応してもらうことができる。
【０１６５】
また、この情報配信システムは、ネット決済ができるように構成されているが、事業者の店舗とユーザとは同じ地域であるので、事業者の係員が、直接、ユーザ宅に出向いて決済することもできる。
【０１６６】
［情報配信システムを利用したクーポンシステム］
図１９は、この実施の形態における情報配信システムにおいてクーポンを扱う場合の実施イメージを示す図である。図２０は、この実施の形態におけるユーザ側システム１００Ａ〜１００Ｃ、事業者側システム２００Ａ，２００Ｂおよび配信センタ側システム３００でそれぞれ実行されるクーポンを扱うための処理の流れを示すフローチャートである。
【０１６７】
図１９および図２０を参照して、ステップＳ２２１で、事業者側システム２００ＡのＰＣ２７０の制御部２７１、または、事業者側システム２００Ｂの携帯端末２８０の制御部２８１は、事業者の係員による操作部２７３，２８３の操作に応じてクーポンを生成する。
【０１６８】
次に、ステップＳ２２２で、制御部２７１，２８１は、ステップＳ２２１で生成したクーポンを、クーポンの配布対象（配布する地域、配布するユーザ）、利用回数、および、公開期間とともに、配信センタ側システム３００の配信サーバ３１０に登録する。その後、制御部２７１，２８１は、実行する処理をこの処理の呼出元の処理に戻す。
【０１６９】
配信センタ側システム３００の配信サーバ３１０においては、ステップＳ３２１で、制御部３１１は、事業者側システム２００Ａ，２００Ｂから、クーポンの登録があったか否かを判断する。
【０１７０】
クーポンの登録があったと判断した場合（ステップＳ３２１でＹＥＳと判断した場合）、ステップＳ３２２で、制御部３１１は、登録されたクーポンを、配布対象、利用回数および公開期間とともに、記憶部３１２に記憶させる。
【０１７１】
ユーザ側システム１００Ａ〜１００Ｃにおいては、ステップＳ１２１で、制御部は、ＵＳＢ接続部に会員キー１８０が接続され、かつ、ユーザによって操作部でクーポンを取得するための操作が行なわれたか否かを判断する。会員キー１８０が接続されていない、または、取得操作が行なわれていないと判断した場合（ステップＳ１２１でＮＯと判断した場合）、制御部は、実行する処理をこの処理の呼出元の処理に戻す。
【０１７２】
一方、会員キー１８０が接続され、かつ、取得操作が行なわれたと判断した場合（ステップＳ１２１でＹＥＳと判断した場合）、ステップＳ１２２で、制御部は、接続された会員キー１８０からシリアル番号を読出す。シリアル番号が読出せない場合はエラー表示が出力される。
【０１７３】
次に、ステップＳ１２３で、制御部は、ステップＳ１２２で読出したシリアル番号を含むクーポン取得要求を、配信センタ側システム３００の配信サーバ３１０に送信するよう通信部を制御する。
【０１７４】
配信サーバ３１０においては、クーポンの登録がないと判断した場合（ステップＳ３２１でＮＯと判断した場合）、および、ステップＳ３２２の後、ステップＳ３２３で、制御部３１１は、ユーザ側システムからクーポン取得要求を受信したか否かを判断する。受信していないと判断した場合（ステップＳ３２３でＮＯと判断した場合）、制御部３１１は、実行する処理をこの処理の呼出元の処理に戻す。
【０１７５】
一方、クーポン取得要求を受信したと判断した場合（ステップＳ３２３でＹＥＳと判断した場合）、ステップＳ３２４で、制御部３１１は、ステップＳ３２３で受信したシリアル番号に対応して記憶部３１２に記憶されているユーザの個人情報のうちのいずれかがステップＳ３２２で記憶部３１２に記憶された配布対象に含まれるクーポンがあるかを判断する。
【０１７６】
そして、ステップＳ３２５で、制御部３１１は、ステップＳ３２４での判断において、当該ユーザが配布対象となっているクーポンがあると判断されたか否かを判断する。クーポンがないと判断した場合（ステップＳ３２５でＮＯと判断した場合）、制御部３１１は、実行する処理をこの処理の呼出元の処理に戻す。
【０１７７】
一方、クーポンがあると判断した場合（ステップＳ３２５でＹＥＳと判断した場合）、ステップＳ３２６で、制御部３１１は、あると判断されたクーポンをユーザ側システムに送信するよう通信部３１７を制御する。クーポンの利用回数が条件を満たさなくなったユーザについては、当該クーポンの配布対象から外される。また、公開期間が経過したクーポンについては、記憶部３１２から削除される。
【０１７８】
ユーザ側システムにおいては、ステップＳ１２４で、制御部は、配信サーバ３１０からクーポンを受信したか否かを判断する。所定時間経っても受信していないと判断した場合（ステップＳ１２４でＮＯと判断した場合）、制御部は、実行する処理をこの処理の呼出元の処理に戻す。
【０１７９】
一方、クーポンを受信したと判断した場合（ステップＳ１２４でＹＥＳと判断した場合）、ステップＳ１２５で、制御部は、受信したクーポンを会員キー１８０に記録するようＵＳＢ接続部を制御する。その後、制御部は、実行する処理をこの処理の呼出元の処理に戻す。その後、ユーザは、会員キー１８０を持って、クーポンの対象店舗へ行って、クーポンを利用する。
【０１８０】
図２１は、この実施の形態における事業者側システム２００Ａのクーポン発券端末２４０で実行されるクーポン発券処理の流れを示すフローチャートである。図１９および図２１を参照して、対象店舗に来店したユーザは、クーポン発券端末２４０のＵＳＢ接続部２４８に会員キー１８０を差し込む。
【０１８１】
クーポン発券端末２４０においては、ステップＳ２３１で、制御部２４１は、ＵＳＢ接続部２４８に会員キー１８０が接続され、かつ、ユーザが操作部２４３のタッチパネルを操作することによってクーポンの発券操作が行なわれたか否かを判断する。会員キー１８０が接続されていない、または、発券操作が行なわれていないと判断した場合（ステップＳ２３１でＮＯと判断した場合）、制御部２４１は、実行する処理をこの処理の呼出元の処理に戻す。
【０１８２】
一方、会員キー１８０が接続され、かつ、発券操作が行なわれたと判断した場合（ステップＳ２３１でＹＥＳと判断した場合）、ステップＳ２３２で、制御部２４１は、接続された会員キー１８０から、クーポンを読出して、クーポンを示す情報を表示するよう表示部２４４を制御する。
【０１８３】
ステップＳ２３３では、制御部２４１は、会員キー１８０が抜取られていない状態において、ユーザが操作部２４３のタッチパネルを操作することによって当該事業者の店舗で利用可能なクーポンのうちのいずれかが選択されたか否かを判断する。選択されずに会員キー１８０が抜取られたと判断した場合（ステップＳ２３３でＮＯと判断した場合）、制御部２４１は、実行する処理をこの処理の呼出元の処理に戻す。
【０１８４】
一方、クーポンが選択されたと判断した場合（ステップＳ２３３でＹＥＳと判断した場合）、ステップＳ２３４で、制御部２４１は、選択されたクーポンを特定する情報と、レジのＰＯＳでクーポンを認識することが可能なバーコードとを印刷するよう印刷部２４６を制御する。次に、ステップＳ２３５で、制御部２４１は、発券されたクーポンを会員キー１８０から削除するようＵＳＢ接続部２４８を制御する。その後、制御部２４１は、実行する処理をこの処理の呼出元の処理に戻す。
【０１８５】
本実施の形態においては、クーポン発券端末２４０またはクーポン確認端末２６０が設置されていない店舗のクーポンも、クーポン発券端末２４０で確認できて、発券できることとする。これにより、印刷されたクーポンが利用されることによる非設置店舗の集客効果だけでなく、非設置店舗のクーポンを印刷するためのクーポン発券端末２４０を設置している店舗の集客効果を向上させることができる。
【０１８６】
図２２は、この実施の形態における事業者側システム２００Ｂのクーポン確認端末２６０で実行されるクーポン確認処理の流れを示すフローチャートである。図１９および図２２を参照して、対象店舗に来店したユーザまたは店舗の店員は、クーポン確認端末２６０のＵＳＢ接続部２６８に会員キー１８０を差し込む。
【０１８７】
クーポン確認端末２６０においては、ステップＳ２３６で、制御部２６１は、ＵＳＢ接続部２６８に会員キー１８０が接続され、かつ、店舗の店員が操作部２６３のタッチパネルを操作することによってクーポンの確認操作が行なわれたか否かを判断する。会員キー１８０が接続されていない、または、確認操作が行なわれていないと判断した場合（ステップＳ２３６でＮＯと判断した場合）、制御部２６１は、実行する処理をこの処理の呼出元の処理に戻す。
【０１８８】
一方、会員キー１８０が接続され、かつ、確認操作が行なわれたと判断した場合（ステップＳ２３６でＹＥＳと判断した場合）、ステップＳ２３７で、制御部２６１は、接続された会員キー１８０から、クーポンを読出して、クーポンを示す情報を表示するよう表示部２６４を制御する。
【０１８９】
ステップＳ２３８では、制御部２６１は、会員キー１８０が抜取られていない状態において、店員が操作部２６３のタッチパネルを操作することによって当該事業者の店舗で利用可能なクーポンのうちのいずれかが選択されたか否かを判断する。選択されずに会員キー１８０が抜取られたと判断した場合（ステップＳ２３８でＮＯと判断した場合）、制御部２６１は、実行する処理をこの処理の呼出元の処理に戻す。
【０１９０】
一方、クーポンが選択されたと判断した場合（ステップＳ２３８でＹＥＳと判断した場合）、ステップＳ２３９で、選択されたクーポンを会員キー１８０から削除するようＵＳＢ接続部２６８を制御する。その後、制御部２６１は、実行する処理をこの処理の呼出元の処理に戻す。
【０１９１】
本実施の形態においては、このように、クーポン確認端末２６０は、レジが１台のみであったり、ＰＯＳがなかったりするような、クーポン発券端末２４０を設置する必要がないような店舗に設置することが有効である。クーポン確認端末２６０を設置するためには、所定の光回線と新規または乗換えで契約する必要があるが、このような光回線と契約することによって、クーポン確認端末２６０を設置できることに付帯して、店舗をフリースポット化することができ、より集客効果を向上させることができる。
【０１９２】
［情報配信システムを利用したポイントシステム］
図２３は、この実施の形態における情報配信システムにおいて各事業者ごとのポイントを扱う場合の実施イメージを示す図である。
【０１９３】
図２４は、この実施の形態におけるユーザ側システム１００Ａ〜１００Ｃ、事業者側システム２００Ａ，２００Ｂおよび配信センタ側システム３００でそれぞれ実行される各事業者ごとのポイントを扱うための処理の流れを示す第１のフローチャートである。
【０１９４】
図２５は、この実施の形態におけるユーザ側システム１００Ａ〜１００Ｃ、事業者側システム２００Ａ，２００Ｂおよび配信センタ側システム３００でそれぞれ実行される各事業者ごとのポイントを扱うための処理の流れを示す第２のフローチャートである。
【０１９５】
図２３および図２４を参照して、事業者側システム２００Ａ〜２００Ｅにおいては、ステップＳ２４１で、クーポン確認端末２６０の制御部２６１は、ＵＳＢ接続部２６８に会員キー１８０が接続され、かつ、操作部２６３のタッチパネルで店員によってポイントに関する処理を行なうための操作がされたか否かを判断する。会員キー１８０が接続されていない、または、操作が行なわれていないと判断した場合（ステップＳ２４１でＮＯと判断した場合）、制御部２６１は、実行する処理をこの処理の呼出元の処理に戻す。
【０１９６】
会員キー１８０が接続され、かつ、ポイントに関する処理を行なうための操作がされたと判断した場合（ステップＳ２４１でＹＥＳと判断した場合）、ステップＳ２４２で、制御部２６１は、接続された会員キー１８０からシリアル番号を読出す。シリアル番号が読出せない場合はエラー表示が出力される。
【０１９７】
次に、ステップＳ２４３で、制御部は、ステップＳ２４２で読出したシリアル番号を含むポイント送信要求を、配信センタ側システム３００の配信サーバ３１０に送信するよう通信部を制御する。
【０１９８】
配信サーバ３１０においては、ステップＳ３４１で、制御部３１１は、事業者側システムからポイント送信要求を受信したか否かを判断する。ポイント送信要求を受信したと判断した場合（ステップＳ３４１でＹＥＳと判断した場合）、ステップＳ３４２で、制御部３１１は、ステップＳ３４１で受信したシリアル番号に対応して記憶部３１２に記憶されている当該事業者の当該ユーザのポイントがあるかを判断する。
【０１９９】
ステップＳ３４３で、制御部３１１は、ステップＳ３４２での判断において、当該事業者の当該ユーザのポイントがあると判断されたか否かを判断する。ポイントがあると判断した場合（ステップＳ３４３でＹＥＳと判断した場合）、ステップＳ３４４で、制御部３１１は、そのポイント数を事業者側システムに送信するよう通信部３１７を制御する。
【０２００】
事業者側システム２００Ａ〜２００Ｅにおいては、ステップＳ２４４で、制御部２６１は、配信サーバ３１０からポイント数を受信したか否かを判断する。所定時間経っても受信していないと判断した場合（ステップＳ２４４でＮＯと判断した場合）、制御部２６１は、実行する処理をこの処理の呼出元の処理に戻す。
【０２０１】
一方、ポイント数を受信したと判断した場合（ステップＳ２４４でＹＥＳと判断した場合）、ステップＳ２４５で、制御部２６１は、受信したポイント数を記憶部２６２に一時的に記憶させる。
【０２０２】
次に、ステップＳ２４６で、制御部２６１は、操作部２６３のタッチパネルで店員によってポイントを加算するための操作がされたか否かを判断する。操作が行なわれたと判断した場合（ステップＳ２４６でＹＥＳと判断した場合）、ステップＳ２４７で、制御部２６１は、記憶部２６２に一時的に記憶されているポイント数に、今回加算するポイント数を足して、加算後のポイント数を配信サーバ３１０に送信するよう通信部２６７を制御する。記憶部２６２に一時的に記憶されているポイント数がなければ、今回加算するポイント数を配信サーバ３１０に送信するよう通信部２６７を制御する。その後、制御部２６１は、実行する処理をこの処理の呼出元の処理に戻す。
【０２０３】
一方、加算するための操作が行なわれていないと判断した場合（ステップＳ２４６でＮＯと判断した場合）、ステップＳ２４８で、制御部２６１は、操作部２６３のタッチパネルで店員によってポイントを減算するための操作がされたか否かを判断する。操作が行なわれたと判断した場合（ステップＳ２４８でＹＥＳと判断した場合）、ステップＳ２４９で、制御部２６１は、記憶部２６２に一時的に記憶されているポイント数から、今回減算するポイント数を引いて、減算後のポイント数を配信サーバ３１０に送信するよう通信部２６７を制御する。記憶部２６２に一時的に記憶されているポイント数よりも減算するポイント数の方が多い場合は、ポイント数が不足しているので減算できない旨を表示するよう表示部２６４を制御する。その後、制御部２６１は、実行する処理をこの処理の呼出元の処理に戻す。
【０２０４】
一方、減算するための操作が行なわれていないと判断した場合（ステップＳ２４８でＮＯと判断した場合）、制御部２６１は、実行する処理をステップＳ２４６の処理に戻す。
【０２０５】
配信サーバ３１０においては、ポイントがないと判断した場合（ステップＳ３４３でＮＯと判断した場合）、および、ステップＳ３４４の後、ステップＳ３４５で、制御部３１１は、事業者側システム２００Ａ〜２００Ｅからポイント数を受信したか否かを判断する。受信していないと判断した場合（ステップＳ３４５でＮＯと判断した場合）、制御部３１１は、実行する処理をこの処理の呼出元の処理に戻す。
【０２０６】
一方、ポイント数を受信したと判断した場合（ステップＳ３４５でＹＥＳと判断した場合）、ステップＳ３４６で、制御部３１１は、当該事業者の当該ユーザのポイントを更新するまたは新規に記憶部３１２に記憶させる。
【０２０７】
図２３および図２５を参照して、ユーザ側システム１００Ａ〜１００Ｃにおいては、ステップＳ１５１で、制御部は、ＵＳＢ接続部に会員キー１８０が接続され、かつ、ユーザによって操作部が操作されることによってポイントの確認操作が行なわれたか否かを判断する。会員キー１８０が接続されていない、または、ポイントの確認操作が行なわれていないと判断した場合（ステップＳ１５１でＮＯと判断した場合）、制御部は、実行する処理をこの処理の呼出元の処理に戻す。
【０２０８】
一方、会員キー１８０が接続され、かつ、ポイントの確認操作が行なわれたと判断した場合（ステップＳ１５１でＹＥＳと判断した場合）、ステップＳ１５２で、制御部は、接続された会員キー１８０からシリアル番号を読出す。シリアル番号が読出せない場合はエラー表示が出力される。
【０２０９】
次に、ステップＳ１５３で、制御部は、ステップＳ１５２で読出したシリアル番号を含むポイント確認要求を、配信センタ側システム３００の配信サーバ３１０に送信するよう通信部を制御する。
【０２１０】
配信サーバ３１０においては、ポイント送信要求を受信していないと判断した場合（ステップＳ３４１でＮＯと判断した場合）、および、ステップＳ３４６の後、ステップＳ３５１で、制御部３１１は、ユーザ側システムからポイント確認要求を受信したか否かを判断する。ポイント確認要求を受信したと判断した場合（ステップＳ３５１でＹＥＳと判断した場合）、ステップＳ３５２で、制御部３１１は、ステップＳ３５１で受信したシリアル番号に対応して記憶部３１２に記憶されている各事業者の当該ユーザのポイント数をユーザ側システムに送信するよう通信部３１７を制御する。
【０２１１】
一方、ポイント確認要求を受信していないと判断した場合（ステップＳ３５１でＮＯと判断した場合）、および、ステップＳ３５２の後、制御部３１１は、実行する処理をこの処理の呼出元の処理に戻す。
【０２１２】
ユーザ側システム１００Ａ〜１００Ｃにおいては、ステップＳ１５４で、制御部は、配信サーバ３１０からポイント数を受信したか否かを判断する。所定時間経っても受信していないと判断した場合（ステップＳ１５４でＮＯと判断した場合）、制御部は、実行する処理をこの処理の呼出元の処理に戻す。
【０２１３】
一方、ポイント数を受信したと判断した場合（ステップＳ１５４でＹＥＳと判断した場合）、ステップＳ１５５で、制御部は、受信した当該ユーザの各事業者ごとのポイント数を、図２３の右下で示すように表示するよう制御する。その後、制御部は、実行する処理をこの処理の呼出元の処理に戻す。
【０２１４】
なお、事業者ごとのポイント管理のための顧客ＤＢと連携して、現行のポイントカードのポイント数も表示するようにする。また、現行のポイントと会員キー１８０に対応するポイントとの累計ポイントをすべての事業者について加算した合計の会員ポイントを、各種景品または商品券と交換できるようにしたり、各事業者の個別ポイントと交換できるようにしてもよい。これにより、会員ポイントが、地域に根付く新しい地域ポイントおよび地域マネーとなり、地域の活性化を担うことができる。
【０２１５】
このように、複数の事業者のポイントを１つの会員キー１８０で扱えるようにすることによって、事業者ごとにポイントカードを持つ必要をなくすることができるので、ユーザのポイントカードの携帯性を向上させることができるとともに、利便性を向上させることができる。また、このように、ポイントを１つの会員キー１８０のシリアル番号に対応付けて記憶するようにして、ポイントを各事業者で共通化した場合、或る事業者のポイントが他の事業者で使用されると、ポイントの付与よりも使用が多い事業者に不利益が発生する。しかし、上述したようにすることによって、それぞれの事業者ごとのポイントを分けて管理することができるので、このような不利益も発生しないようにすることができる。
【０２１６】
また、クーポン確認端末２６０を設置するだけでポイントシステムを構築することができるので、小型店舗であっても容易にポイントシステムを導入することができる。
【０２１７】
［情報配信システムを利用したマッチングモデル］
上述した情報配信システムを利用したマッチングモデルとして、次のようなものが考えられる。
【０２１８】
（１）チャート化による嗜好性のマッチングモデル
消費者特性は、履歴、アンケートなどで生成する。企業特性は、消費者からのアンケートを中心に形成する。そして、双方をチャート化しマッチングを図る。このようにすることにより、今までの「食品」、「住宅」などのジャンルでのマッチングではなく、「ディスカウント志向」、「健康志向」などの嗜好性でマッチングをすることができる。また、企業特性を消費者目線で評価するので、イメージの相違を無くすことができる。
【０２１９】
図２６は、この実施の形態におけるユーザの嗜好性と事業者とのマッチングのイメージを示す図である。図２７は、この実施の形態における配信センタ側システム３００で実行される嗜好性マッチング処理の流れを示すフローチャートである。
【０２２０】
図２６および図２７を参照して、配信センタ側システム３００の配信サーバ３１０において、ステップＳ３６１で、制御部３１１は、記憶部３１２に記憶された各ユーザの配信履歴およびユーザに対するアンケートに基づいて複数のユーザの嗜好を分析する。ユーザの嗜好は、図２６の左上の図で示すようなチャートで示すことができる。
【０２２１】
ステップＳ３６２で、制御部３１１は、事業者を利用したユーザに当該事業者の評価を問合せる情報をユーザ側システム１００Ａ〜１００Ｃに送信するよう通信部３１７を制御する。ステップＳ３６３で、制御部３１１は、ユーザ側システム１００Ａ〜１００Ｃから事業者の評価の回答を受信するよう通信部３１７を制御する。事業者の評価は、図２６の右下の図で示すような、複数の評価項目についての複数段階での評価である。
【０２２２】
ステップＳ３６４で、制御部３１１は、複数の回答に基づいて複数の事業者の評価を分析する。事業者の評価は、図２６の右上の図で示すような、複数のユーザから得られた当該事業者の各評価項目についての評価の段階を平均したもので、図のようなチャートで示すことができる。
【０２２３】
ステップＳ３６５で、制御部３１１は、事業者の評価と、ユーザの嗜好とが適合する組合せを特定する。つまり、事業者の評価の各項目の値が、ユーザの嗜好の各項目の値と、同一または類似する、事業者とユーザとの組合せを特定する。たとえば、図２６では、○○スーパーは、世帯Ｎｏ．００１のユーザと各項目の値が同一であるので、○○スーパーと当該ユーザとはマッチングする。しかし、○○スーパーは、世帯Ｎｏ．００２のユーザと各項目の値が非類似であるので、○○スーパーと当該ユーザとはマッチングしない。
【０２２４】
ステップＳ３７１で、制御部３１１は、ステップＳ３６５で特定されたユーザに適合する事業者の情報を、当該ユーザのユーザ側システムに送信するよう通信部３１７を制御する。
【０２２５】
ステップＳ３７２で、制御部３１１は、ステップＳ３６５で特定された事業者に適合するユーザの情報を、当該事業者の事業者側システムに送信するよう通信部３１７を制御する。
【０２２６】
（２）  人と地域のイメージの形成による嗜好性のマッチングモデル
ユーザごとに嗜好性を分析すると、ユーザごとに嗜好性のイメージが異なるため、本実施の形態の情報配信システムでユーザごとに地域情報を発信することが有効である。また、地域全体の嗜好性を広義にイメージ化することによって、地域ごとに地域情報を発信することが有効である。また、それぞれが連携することによる相乗効果も得られる。
【０２２７】
図２８は、この実施の形態における人と地域のイメージの形成による嗜好性のマッチングのイメージを示す図である。図２７および図２８を参照して、ステップＳ３７３で、制御部３１１は、ステップＳ３６１で分析された嗜好性が同一または類似するユーザのユーザ側システムに、当該嗜好性に適合する地域情報を送信するよう通信部３１７を制御する。
【０２２８】
ステップＳ３７４で、制御部３１１は、ステップＳ３６１で分析された嗜好性の傾向をユーザの地域ごとに分析する。そして、ステップＳ３７５で、制御部３１１は、ステップＳ３７４で分析された地域の嗜好性に適合する地域情報を、当該地域のユーザのユーザ側システムに送信するよう通信部３１７を制御する。
【０２２９】
（３）  トレンド発信によるマッチングモデル
履歴情報を元に、トレンドを分析し、その地域特性に合ったイベント企画を実施し、地域店舗の参加型の情報発信を行なう。たとえば、行楽志向の高まりを季節トレンドと捉え、地域行事を基軸とした企画を、本実施の形態の情報配信システムで発信する。参加企業が当該地域行事への参加者の消費行動を予測した関連商品を発信することで、ユーザは一気通貫で情報を取得することができる。
【０２３０】
図２９は、この実施の形態におけるトレンド発信によるマッチングのイメージを示す図である。図３０は、この実施の形態における配信センタ側システム３００で実行される企画賛同型広告作成処理の流れを示すフローチャートである。
【０２３１】
図２９および図３０を参照して、配信センタ側システム３００の配信サーバ３１０において、ステップＳ３８１で、制御部３１１は、地域特有の企画に賛同する意思を問合せる旨の情報を各事業者側システムに送信するよう通信部３１７を制御する。
【０２３２】
ステップＳ３８２で、制御部３１１は、賛同する事業者の事業者側システムから、企画に応じた商品等の広告内容を受信するよう通信部３１７を制御する。
【０２３３】
ステップＳ３８３で、制御部３１１は、受信された広告内容を当該企画について取り纏めた、図２９の右側の図で示すような広告を作成する。
【０２３４】
ステップＳ３８４で、制御部３１１は、ステップＳ３８３で作成した広告を、当該企画の地域情報として記憶部３１２に記憶させる。記憶された広告は、当該地域のユーザからの配信要求に応じて、当該ユーザのユーザ側システムに送信される。
【０２３５】
［クーポンシステムの変形例］
前述したクーポンシステムにおいては、会員キー１８０にクーポンを記憶するようにした。この変形例においては、紛失リスクを考慮して、会員キー１８０には、シリアル番号のみを記憶するようにして、クーポンなどの情報は、前述したポイントシステムと同様、配信サーバ３１０側のみに記憶させるようにする。
【０２３６】
図３１は、この実施の形態の変形例における事業者側システム２００Ａ，２００Ｂおよび配信センタ側システム３００でそれぞれ実行されるクーポンを扱うための処理の流れを示すフローチャートである。
【０２３７】
図３１を参照して、事業者側システム２００Ａのクーポン発券端末２４０においては、ステップＳ２８１で、制御部２４１は、ＵＳＢ接続部２４８に会員キー１８０が接続されたか否かを判断する。接続されていないと判断した場合（ステップＳ２８１でＮＯと判断した場合）、制御部２４１は、実行する処理をこの処理の呼出元の処理に戻す。
【０２３８】
一方、会員キー１８０が接続されたと判断した場合（ステップＳ２８１でＹＥＳと判断した場合）、ステップＳ２８２で、制御部２４１は、接続された会員キー１８０からシリアル番号を読出す。シリアル番号が読出せない場合はエラー表示が出力される。
【０２３９】
次に、ステップＳ２８３で、制御部２４１は、ステップＳ２８２で読出したシリアル番号を含むクーポン送信要求を、配信センタ側システム３００の配信サーバ３１０に送信するよう通信部２４７を制御する。
【０２４０】
配信サーバ３１０においては、ステップＳ３９１で、制御部３１１は、事業者側システム２００Ａからクーポン送信要求を受信したか否かを判断する。クーポン送信要求を受信したと判断した場合（ステップＳ３９１でＹＥＳと判断した場合）、ステップＳ３９２で、制御部３１１は、ステップＳ３９１で受信したシリアル番号に対応して記憶部３１２に記憶されている当該ユーザの個人情報が配布対象に含まれるクーポンがあるかを判断する。
【０２４１】
ステップＳ３９３で、制御部３１１は、ステップＳ３９２での判断において、当該ユーザが配布対象のクーポンがあると判断されたか否かを判断する。クーポンがあると判断した場合（ステップＳ３９３でＹＥＳと判断した場合）、ステップＳ３９４で、制御部３１１は、そのクーポンを特定する情報を事業者側システム２００Ａに送信するよう通信部３１７を制御する。
【０２４２】
クーポン発券端末２４０においては、ステップＳ２８４で、制御部２４１は、配信サーバ３１０からクーポン特定情報を受信したか否かを判断する。所定時間経っても受信していないと判断した場合（ステップＳ２８４でＮＯと判断した場合）、制御部２４１は、実行する処理をこの処理の呼出元の処理に戻す。
【０２４３】
一方、クーポン特定情報を受信したと判断した場合（ステップＳ２８４でＹＥＳと判断した場合）、ステップＳ２８５で、制御部２４１は、受信したクーポン特定情報を記憶部２４２に一時的に記憶させる。
【０２４４】
次に、ステップＳ２８６で、制御部２４１は、ＵＳＢ接続部２４８から会員キー１８０を抜取る旨を表示するよう表示部２４４を制御する。なお、合わせて、会員キー１８０を抜取る旨の音を鳴らすようにしてもよい。
【０２４５】
そして、ステップＳ２８７で、制御部２４１は、ＵＳＢ接続部２４８から会員キー１８０が抜取られたか否かを判断する。抜取られていないと判断した場合（ステップＳ２８７でＮＯと判断した場合）、制御部２４１は、ステップＳ２８７の処理を繰返す。
【０２４６】
一方、会員キー１８０が抜取られたと判断した場合（ステップＳ２８７でＹＥＳと判断した場合）、ステップＳ２９１で、制御部２４１は、ステップＳ２８５で記憶部２４２に記憶されたクーポンを特定する情報を表示するよう表示部２４４を制御する。
【０２４７】
ステップＳ２９２では、制御部２４１は、ユーザが操作部２４３のタッチパネルを操作することによって当該事業者の店舗で利用可能なクーポンのうちのいずれかが選択されたか否かを判断する。選択されていないと判断した場合（ステップＳ２９２でＮＯと判断した場合）、制御部２４１は、ステップＳ２９２の処理を繰返す。。
【０２４８】
一方、クーポンが選択されたと判断した場合（ステップＳ２９２でＹＥＳと判断した場合）、ステップＳ２９３で、制御部２４１は、選択されたクーポンを特定する情報と、レジのＰＯＳでクーポンを認識することが可能なバーコードとを印刷するよう印刷部２４６を制御する。次に、ステップＳ２９４で、制御部２４１は、選択され発券されたクーポンを特定する情報である選択クーポン特定情報を配信センタ側システム３００の配信サーバ３１０に送信するよう通信部２４７を制御する。その後、制御部２４１は、実行する処理をこの処理の呼出元の処理に戻す。
【０２４９】
配信サーバ３１０においては、ステップＳ３９５で、制御部３１１は、クーポン発券端末２４０から選択クーポン特定情報を受信したか否かを判断する。受信していないと判断した場合（ステップＳ３９５でＮＯと判断した場合）、制御部３１１は、実行する処理をこの処理の呼出元の処理に戻す。
【０２５０】
一方、選択クーポン特定情報を受信したと判断した場合（ステップＳ３９５でＹＥＳと判断した場合）、ステップＳ３９６で、制御部３１１は、当該ユーザが当該クーポンを使用済みである旨を記憶部３１２に記憶させる。その後、制御部３１１は、実行する処理をこの処理の呼出元の処理に戻す。
【０２５１】
この変形例のようにする場合、ユーザ側システム１００Ａ〜１００Ｃにおいては、図２０で説明したクーポン取得処理に替えて、配信サーバ３１０に記憶されている当該ユーザの使用することが可能なクーポンを確認するためのクーポン確認処理を実行するようにしてもよい。このクーポン確認処理は、図２５で後述するポイント確認処理において、ポイントをクーポンと読替えた処理である。
【０２５２】
このように、クーポンが会員キー１８０には記憶されず配信サーバ３１０に記憶されるので、紛失リスクを減少させることができる。また、クーポン発券端末２４０において、クーポンを印刷する前に会員キー１８０を抜取る旨を報知して、会員キー１８０が抜取られない限り、クーポンが印刷されないようにしたので、会員キー１８０の抜き忘れを確実に防止することができる。
【０２５３】
なお、図３１においては、クーポン発券端末２４０での処理について説明したが、クーポン確認端末２６０に適用する場合には、ステップＳ２９２において店員がクーポンを選択するようにして、ステップ２９３のクーポンを印刷する処理を行なわないようにすればよい。
【０２５４】
また、クーポン発券端末２４０でクーポンを選択することに替えて、ユーザ側システム１００Ａ〜１００Ｃにおいて、印刷したいクーポンを予め選択しておいて、クーポン発券端末２４０に会員キー１８０が接続されると、クーポンの選択なしに、クーポンが印刷されるようにしてもよい。このようにすれば、店舗でのクーポン印刷のための時間を削減できるので、ユーザに効率良くクーポンを利用してもらうことができる。
【０２５５】
［まとめ］
以上、説明したように本実施の形態ににおける情報配信システムによれば、従来の媒体と比較して、次のような効果がある。
【０２５６】
（１）  従来のチラシおよび情報誌のように大量の用紙を利用せず、印刷物等の運送燃料とＣＯ2を削減することができるので、環境負荷を軽減することができる。
【０２５７】
（２）  地域情報が更新された旨がアラート機能でリアルタイムに伝達されるので、情報鮮度を向上させることができる。
【０２５８】
（３）  インターネット、テレビ受像機およびＰＣなどの既存インフラを融合的に利用するので、地域情報の到達率を向上させることができる。
【０２５９】
（４）  チラシログおよびバナー広告ログなどの配信履歴によって、どのユーザが「いつ」「何を」見たのかを特定することができるので、地域情報（特に広告）の利用度の効果を的確に把握することができる。
【０２６０】
（５）  従来のチラシおよび情報誌のような用紙コストまたは折込費用などの物理的費用を削減することができるので、コストパフォーマンスを向上させることができる。
【０２６１】
また、本実施の形態における情報配信システムで提供されるサービス全般について、次のような効果がある。
【０２６２】
（１）  ＳＴＢ１１０，１３０などの専用認証端末およびＰＣ１７０Ｂ，１７０Ｃにインストールされる専用アプリケーション（認証機能を含む）のみからアクセス可能なように構成されるので、ネットの世界でありながら地域というクローズの世界を構築でき、かつ、認証セキュリティを高めたサービスを実現することができる。
【０２６３】
（２）  会員登録（入会）時に個人情報を取得するので、地域情報の閲覧者（視聴者）の個人を常に特定することができる。
【０２６４】
（３）  図１８で説明したような本実施の形態の情報配信システムで運営されるマーケットは、クローズの世界であり、かつ、会員（視聴者）を個人特定できるので、広告掲載主（事業者、情報提供者）および会員の双方に安全なサービスを提供することができる。
【０２６５】
（４）  地域テレビ局４００の電波の空き帯域を利用して、ユーザ側システム１００Ａ〜１００Ｃのテレビ受像機１５０Ａ〜１５０Ｃに、地域情報が更新された旨を送信するとともに、広告情報も送信するようにしたり、携帯端末５８０で地域情報の配信を受けるだけでなく、会員キーの機能も持たせ、会員キーで受けることができるサービスを受けれるようにしたりすることによって、より質の高いサービスを提供することができる。
【０２６６】
（５）  配信履歴を活用して、よりターゲットニーズに合った精度の高いサービスを提供することができる。
【０２６７】
（６）  広告主（事業者）が一方的に情報を配信するのではなく、ユーザが参加可能なシステムとすることができる。たとえば、ユーザ同士がお得な情報を交換することができる。また、広告主は、それらの情報を活用して、視聴者ニーズに合った販売戦略を実施することができる。
【０２６８】
また、本実施の形態における情報配信システムに含まれる配信センタ側システム３００については、次のような効果がある。
【０２６９】
（１）  ＳＴＢ１１０，１３０などの専用認証端末およびＰＣ１７０Ｂ，１７０Ｃにインストールされる専用アプリケーション（認証機能を含む）のみからアクセス可能とすることで、ポータルサイトを構築することができる。
【０２７０】
（２）  データベースに記憶された情報（個人情報、配信履歴）を分析し、必要に応じて、分析結果に応じた地域情報を変更することができる。
【０２７１】
（３）  データベースに記憶された情報（個人情報、配信履歴）を分析し、レコメンド機能を利用して、ユーザに最適な地域情報（チラシ、バナー広告）を提供することができる。
【０２７２】
（４）  ユーザの配信履歴（配信時間等）およびユーザの個人情報（会員分布）を広告主（事業者）に提供することにより、精度の高い販売促進を提案することができる。
【０２７３】
（５）  ユーザからの情報を入手し、ユーザ同士およびユーザと広告主（事業者）との情報交流を行なえるようにすることができる。
【０２７４】
また、本実施の形態における情報配信システムに含まれる事業者側システム２００Ａ，２００Ｂについては、次のような効果がある。
【０２７５】
（１）  地域情報はインターネット９００を通じて登録して公開するため、印刷物よりもリードタイムを短縮することができる。
【０２７６】
（２）  閲覧されている地域、閲覧日時および天候などを確認し、ユーザの閲覧に合わせて、地域情報を登録、修正することができる。
【０２７７】
（３）  個人情報（会員分布）を確認しながら、配信地域を設定することが可能となる。
【０２７８】
（４）  データベースに記憶された情報（個人情報、配信履歴）から分析した情報で、配信実績結果および行動予測を利用した精度の高い販売促進を実現することができる。
【０２７９】
また、本実施の形態における情報配信システムに含まれる上述したノンＰＣユーザに適したＳＴＢモデルのユーザ側システム１００Ａについては、次のような効果がある。
【０２８０】
（１）  家庭にあるテレビ受像機を利用して地域情報の配信を受けることができる。
（２）  専用のリモコン１２０Ａで操作することができるので、誰でも簡単に操作することができる。
【０２８１】
（３）  リモコン１２０のスポンサダイレクトリンクボタン１２０９Ａ〜１２０９Ｃによる直通ボタン機能により一発で特定の事業者の地域情報を表示することができる。
【０２８２】
（４）  地域情報が更新された場合に、ＳＴＢ１１０の表示灯を点灯または点滅させるようにするので、ユーザに地域情報が更新されたことをお知らせすることができる。
【０２８３】
（５）  リモコン１２０には、他の赤外線リモコンで誤動作させないアルゴリズムを採用している。
【０２８４】
（６）  ＳＴＢ１１０に接続された会員キー１８０のシリアル番号だけでなくアルゴリズムでも暗号化を実施するのでセキュリティを確保することができる。
【０２８５】
また、本実施の形態における情報配信システムに含まれる上述した現ＰＣユーザに適したＰＣアプリケーション制御モデルのユーザ側システム１００Ｂについては、次のような効果がある。
【０２８６】
（１）  家庭にあるＰＣ１７０Ｂを利用して地域情報の配信を受けることができる。
（２）  家庭の中に既にＰＣおよびインターネットの環境があって、それらを利用できるユーザに適している。
【０２８７】
（３）  専用のアプリケーションを利用するが、操作はＰＣ１７０Ｂのキーボード、マウスを利用して行なう。
【０２８８】
（４）  地域情報が更新された旨は、上述したアラート機能によりテレビ受像機１５０Ｂに表示される。これに加えて、ＰＣ１７０Ｂで実行される専用のアプリケーションにアラート機能を含ませて、アラートメッセージをＰＣ１７０Ｂで表示させて、ユーザにお知らせするようにしてもよい。
【０２８９】
（５）  専用のアプリケーションを起動する際に、配信センタ側システム３００の配信サーバ３１０と当該ＰＣ１７０Ｂの情報を更新し、セキュリティを確保するようにする。
【０２９０】
また、本実施の形態における情報配信システムに含まれる上述した将来のＰＣユーザに適したＰＣリモコンモデルのユーザ側システム１００Ｃについては、次のような効果がある。
【０２９１】
（１）  家庭にあるＰＣ１７０Ｃを利用して地域情報の配信を受けることができる。
（２）  家庭の中に既にＰＣおよびインターネットの環境があるが、それらをあまり利用していないユーザに適している。
【０２９２】
（３）  専用のリモコン１２０Ｃで操作することができるので、誰でも簡単に操作することができる。
【０２９３】
（４）  リモコン１２０のスポンサダイレクトリンクボタン１２０９Ａ〜１２０９Ｃによる直通ボタン機能により一発で特定の事業者の地域情報を表示することができる。
【０２９４】
（５）  地域情報が更新された旨は、上述したアラート機能によりテレビ受像機１５０Ｃに表示される。これに加えて、ＰＣ１７０Ｃで実行される専用のアプリケーションにアラート機能を含ませて、アラートメッセージをＰＣ１７０Ｃで表示させて、ユーザにお知らせするようにしてもよい。
【０２９５】
（６）  ＳＴＢ１３０に接続された会員キー１８０のシリアル番号だけでなくアルゴリズムでも暗号化を実施するのでセキュリティを確保することができる。
【０２９６】
また、本実施の形態における情報配信システムに含まれる携帯端末５８０を用いたユーザ側システム５００については、次のような効果がある。
【０２９７】
（１）  会員キー１８０のシリアル番号と携帯端末５８０の情報とを紐付けて連携させることによって、出先においても会員が、最新の地域情報を簡単に取得することができる。
【０２９８】
（２）  携帯端末５８０の機能と地域の特性を活かしたサービス（ユーザがいる場所に応じたお知らせ等）の提供をすることができる。
【０２９９】
また、本実施の形態における情報配信システムの将来に亘る地域から全国への展開については、次のような効果が考えられる。
【０３００】
（１）  本実施の形態における情報配信システムは、地方で展開することができるので、地方ごとに、その地方の運営会社が配信センタ側システム３００を構築することができ、その運営会社がその地方の新しいメディアを握ることができる。
【０３０１】
（２）  そのようにして複数の地方に広がったネットワークを介して全国のユーザを獲得することができ、その結果、全国発信の情報（広告等）を配信することができる。このため、全国発信の広告の取得も可能となる。
【０３０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０３０３】
１００Ａ，１００Ａ〜１００Ｃ，１００Ｂ，１００Ｃ，５００  ユーザ側システム、１１０  ＳＴＢ、１１１，１３１，１５１，１７１，２４１，２６１，２７１，２７１，２８１，２８１，３１１  制御部、１１２，１３２，１５２，１７２，２４２，２６２，２８２，３１２  記憶部、１１４，１３４  表示灯、１１５，１３５  赤外線受信部、１１７，１７７，２４７，２６７，２８７，３１７  通信部、１１８，１３８，１７８，２４８，２６８  ＵＳＢ接続部、１１９  外部出力部、１２０，１２０Ａ，１２０Ｃ  リモコン、１３０  ＳＴＢ、１５０Ａ，１５０Ｂ，１５０Ｃ  テレビ受像機、１５３，１７３，２４３，２６３，２７３，２８３，２８３  操作部、１５４，１７４，２４４，２６４，２８４  表示部、１５６  放送受信部、１５７  アンテナ、１５９  外部入力部、１７０Ｂ，１７０Ｃ  ＰＣ、１８０  会員キー、２００Ａ，２００Ｂ，２００Ａ〜２００Ｅ  事業者側システム、２００Ａ，２００Ｂ  事業者側システム、２４０  クーポン発券端末、２４６  印刷部、２６０  クーポン確認端末、２７０  ＰＣ、２８０，５８０  携帯端末、２８６  音声入出力部、３００  配信センタ側システム、３１０  配信サーバ、４００  地域テレビ局、８００  宅配業者、９００  インターネット。
【図１】
2012033006.tif 000003
【図２】
2012033006.tif 000004
【図３】
2012033006.tif 000005
【図４】
2012033006.tif 000006
【図５】
2012033006.tif 000007
【図６】
2012033006.tif 000008
【図７】
2012033006.tif 000009
【図８】
2012033006.tif 000010
【図９】
2012033006.tif 000011
【図１０】
2012033006.tif 000012
【図１１】
2012033006.tif 000013
【図１２】
2012033006.tif 000014
【図１３】
2012033006.tif 000015
【図１４】
2012033006.tif 000016
【図１５】
2012033006.tif 000017
【図１６】
2012033006.tif 000018
【図１７】
2012033006.tif 000019
【図１８】
2012033006.tif 000020
【図１９】
2012033006.tif 000021
【図２０】
2012033006.tif 000022
【図２１】
2012033006.tif 000023
【図２２】
2012033006.tif 000024
【図２３】
2012033006.tif 000025
【図２４】
2012033006.tif 000026
【図２５】
2012033006.tif 000027
【図２６】
2012033006.tif 000028
【図２７】
2012033006.tif 000029
【図２８】
2012033006.tif 000030
【図２９】
2012033006.tif 000031
【図３０】
2012033006.tif 000032
【図３１】
2012033006.tif 000033